(57)【要約】  通信技術分野に関する動作モード切り換え方法およびユーザ機器が開示され、これにより、ユーザ機器の動作モードを自動的に切り換えることができる。具体的な解決策は、ユーザ機器により、ユーザ機器の現在のデータ伝送速度が第1の速度閾値を下回っていると、および／またはユーザ機器のバッテリ温度が第1の温度閾値を上回っていると、判断することと、ユーザ機器により、ユーザ機器がCA動作モードになっていると判断することと、ユーザ機器により、ユーザ機器の伝送モードパラメータを非CA動作モードに対応する伝送モードパラメータに変更することと、ユーザ機器により、ユーザ機器の通信モジュールを再起動し、基地局へ第1のアクセス要求を送信することとであり、ここで、第1のアクセス要求は、非CA動作モードに対応する伝送モードパラメータを搬送する。本発明の実施形態は、ユーザ機器がユーザ機器の動作モードを切り換えるプロセスに適用される。
2019537387.tif 000002
【特許請求の範囲】
【請求項１】
動作モード切り換え方法であって、
ユーザ機器により、前記ユーザ機器が第1の所定条件を満足していると判断するステップであって、前記第1の所定条件は、前記ユーザ機器の現在のデータ伝送速度が第1の速度閾値を下回ること、および／または前記ユーザ機器のバッテリ温度が第1の温度閾値を上回ることを含む、ステップと、
前記ユーザ機器がキャリアアグリゲーション(CA)動作モードになっている場合に、前記ユーザ機器により、前記ユーザ機器の伝送モードパラメータを非CA動作モードに対応する伝送モードパラメータに変更するステップであって、前記ユーザ機器の前記伝送モードパラメータは、前記ユーザ機器のデータ伝送速度を表すために使われ、前記CA動作モードと前記非CA動作モードは、異なる伝送モードパラメータに対応しており、前記CA動作モードに対応する伝送モードパラメータによって表されるデータ伝送速度は、前記非CA動作モードに対応する前記伝送モードパラメータによって表されるデータ伝送速度よりも大きい、ステップと、
前記ユーザ機器により、前記ユーザ機器の通信モジュールを再起動し、基地局へ第1のアクセス要求を送信するステップであって、前記第1のアクセス要求は、前記非CA動作モードに対応する前記伝送モードパラメータを搬送する、ステップと
を含む方法。
【請求項２】
前記伝送モードパラメータは、前記ユーザ機器のプロトコルスタックバージョンであり、
前記ユーザ機器により、前記ユーザ機器の伝送モードパラメータを非CA動作モードに対応する伝送モードパラメータに変更する前記ステップは、
前記ユーザ機器により、前記ユーザ機器の前記プロトコルスタックバージョンを第1のバージョンから第2のバージョンに変更するステップであって、前記第1のバージョンのプロトコルスタックは、前記CA動作モードに対応しており、前記第2のバージョンのプロトコルスタックは、前記非CA動作モードに対応している、ステップ
を含む、請求項1に記載の方法。
【請求項３】
前記伝送モードパラメータは、前記ユーザ機器の構成ファイル内に含まれる、前記ユーザ機器によってサポートされているCAコンビネーションの識別子であり、
前記ユーザ機器により、前記ユーザ機器の伝送モードパラメータを非CA動作モードに対応する伝送モードパラメータに変更する前記ステップは、
前記ユーザ機器により、前記ユーザ機器の前記構成ファイル内に含まれる、前記ユーザ機器によってサポートされている前記CAコンビネーションの前記識別子を削除するステップ
を含む、請求項1に記載の方法。
【請求項４】
前記ユーザ機器により、基地局へ第1のアクセス要求を送信する前記ステップの後に、前記方法は、
前記ユーザ機器により、前記ユーザ機器が第2の所定条件を満足していると判断するステップであって、前記第2の所定条件は、前記ユーザ機器の前記現在のデータ伝送速度が第2の速度閾値を下回ること、および／または前記ユーザ機器の前記バッテリ温度が第2の温度閾値を下回ることを含み、前記第1の速度閾値は、前記第2の速度閾値よりも大きく、前記第1の温度閾値は、前記第2の温度閾値よりも大きい、ステップと、
前記ユーザ機器により、前記ユーザ機器の前記伝送モードパラメータを前記CA動作モードに対応する前記伝送モードパラメータに変更するステップと、
前記ユーザ機器により、前記ユーザ機器の前記通信モジュールを再起動し、前記基地局へ第2のアクセス要求を送信するステップであって、前記第2のアクセス要求は、前記CA動作モードに対応する前記伝送モードパラメータを搬送する、ステップと
をさらに含む、請求項1から3のいずれか一項に記載の方法。
【請求項５】
前記伝送モードパラメータは、前記ユーザ機器のプロトコルスタックバージョンであり、
前記ユーザ機器により、前記ユーザ機器の前記伝送モードパラメータを前記CA動作モードに対応する前記伝送モードパラメータに変更する前記ステップは、
前記ユーザ機器により、前記ユーザ機器の前記プロトコルスタックバージョンを第2のバージョンから第1のバージョンに変更するステップであって、前記第1のバージョンのプロトコルスタックは、前記CA動作モードに対応しており、前記第2のバージョンのプロトコルスタックは、前記非CA動作モードに対応している、ステップ
を含む、請求項4に記載の方法。
【請求項６】
前記伝送モードパラメータは、前記ユーザ機器の構成ファイル内に含まれる、前記ユーザ機器によってサポートされているCAコンビネーションの識別子であり、
前記ユーザ機器により、前記ユーザ機器の前記伝送モードパラメータを前記CA動作モードに対応する前記伝送モードパラメータに変更する前記ステップは、
前記ユーザ機器により、前記ユーザ機器によってサポートされている前記CAコンビネーションの前記識別子を前記ユーザ機器の前記構成ファイルに加えるステップ
を含む、請求項4に記載の方法。
【請求項７】
ユーザ機器であって、
前記ユーザ機器が第1の所定条件を満足していると判断するように構成された条件判断モジュールであって、前記第1の所定条件は、前記ユーザ機器の現在のデータ伝送速度が第1の速度閾値を下回ること、および／または前記ユーザ機器のバッテリ温度が第1の温度閾値を上回ることを含む、条件判断モジュールと、
前記ユーザ機器が前記CA動作モードになっている場合に、前記ユーザ機器の伝送モードパラメータを非CA動作モードに対応する伝送モードパラメータに変更するように構成された変更モジュールであって、前記ユーザ機器の前記伝送モードパラメータは、前記ユーザ機器のデータ伝送速度を表すために使われ、前記CA動作モードと前記非CA動作モードは、異なる伝送モードパラメータに対応しており、前記CA動作モードに対応する伝送モードパラメータによって表されるデータ伝送速度は、前記非CA動作モードに対応する前記伝送モードパラメータによって表されるデータ伝送速度よりも大きい、変更モジュールと、
前記ユーザ機器の通信モジュールを再起動するように構成された起動モジュールと、
前記起動モジュールが前記ユーザ機器の前記通信モジュールを再起動した後に、基地局へ第1のアクセス要求を送信するように構成された送信モジュールであって、前記第1のアクセス要求は、前記非CA動作モードに対応する前記伝送モードパラメータを搬送する、送信モジュールと
を含むユーザ機器。
【請求項８】
前記伝送モードパラメータは、前記ユーザ機器のプロトコルスタックバージョンであり、
前記変更モジュールは、前記ユーザ機器の前記プロトコルスタックバージョンを第1のバージョンから第2のバージョンに変更するように特に構成され、前記第1のバージョンのプロトコルスタックは、前記CA動作モードに対応しており、前記第2のバージョンのプロトコルスタックは、前記非CA動作モードに対応している、請求項7に記載のユーザ機器。
【請求項９】
前記伝送モードパラメータは、前記ユーザ機器の構成ファイル内に含まれる、前記ユーザ機器によってサポートされているCAコンビネーションの識別子であり、
前記ユーザ機器は、
前記構成ファイルを格納するように構成された格納モジュールであって、前記構成ファイルは、前記ユーザ機器によってサポートされている前記CAコンビネーションの前記識別子を含む、格納モジュール
をさらに含み、
前記変更モジュールは、前記格納モジュールに格納された前記構成ファイル内に含まれる、前記ユーザ機器によってサポートされている前記CAコンビネーションの前記識別子を削除するように特に構成される、請求項7に記載のユーザ機器。
【請求項１０】
前記条件判断モジュールは、前記送信モジュールが前記基地局へ前記第1のアクセス要求を送信した後に、前記ユーザ機器が第2の所定条件を満足していると判断するようにさらに構成され、前記第2の所定条件は、前記ユーザ機器の前記現在のデータ伝送速度が第2の速度閾値を下回ること、および／または前記ユーザ機器の前記バッテリ温度が第2の温度閾値を下回ることを含み、前記第1の速度閾値は、前記第2の速度閾値よりも大きく、前記第1の温度閾値は、前記第2の温度閾値よりも大きく、
前記変更モジュールは、前記ユーザ機器の前記伝送モードパラメータを前記CA動作モードに対応する前記伝送モードパラメータに変更するようにさらに構成され、
前記送信モジュールは、前記基地局へ第2のアクセス要求を送信するようにさらに構成され、前記第2のアクセス要求は、前記CA動作モードに対応する前記伝送モードパラメータを搬送する、請求項7から9のいずれか一項に記載のユーザ機器。
【請求項１１】
ユーザ機器であって、
プロセッサと、メモリと、バスと、通信インターフェースとを含み、
前記プロセッサ、前記メモリ、および前記通信インターフェースは、前記バスを用いて互いに接続され、
前記メモリは、コンピュータプログラムコードを格納するように構成され、前記コンピュータプログラムコードは命令を含み、前記プロセッサが前記命令を実行すると、前記ユーザ機器は、請求項1から6のいずれか一項に記載の動作モード切り換え方法を実行する、ユーザ機器。
【発明の詳細な説明】
【技術分野】
【０００１】
本発明は通信技術分野に関し、具体的には動作モード切り換え方法およびユーザ機器に関する。
【背景技術】
【０００２】
キャリアアグリゲーション（英語：Carrier Aggregation、略してCA）技術は、サービス要求を満足するために、少なくとも2つの連続または不連続コンポーネントキャリア（英語：Component Carrier、略してCC）をより大きい帯域幅（例えば2CCおよび3CC）に束ねることができる。具体的に述べると、2CCは2つの連続または不連続コンポーネントキャリアにキャリアアグリゲーションが行われることを意味し、3CCは3つの連続または不連続コンポーネントキャリアにキャリアアグリゲーションが行われることを意味する。CA技術を用いることで無線通信速度は上がるが、ユーザ機器（英語：User Equipment、略してUE）の電力消費量は大幅に増大する。CA機能をサポートするUEは簡潔にCA-UEと呼ばれる。
【０００３】
CA-UEは高速データサービス伝送を絶えず行う必要はなく、換言すると、CA-UEはCA動作モードで絶えず作動する必要はない。したがって、CA-UEの電力消費量を減らすため、基地局（英語：Base Station、略してBS）は、CA-UEによって行われるデータサービスやネットワークの状態といった情報に基づいてCA-UEの動作モードを切り換えることができる。例えば、BSは、CA-UEが高速データサービス伝送を行う必要がないときに、CA-UEの動作モードをCA動作モードから非CA動作モードに切り換えることができる。
【０００４】
しかしながら、既存の問題は、先行技術でBSがCA-UEの動作モードを決定し、動作モードを切り換えることをCA-UEに命令するが、CA-UEがCA-UEの動作モードを自動的に切り換えることができないということである。
【発明の概要】
【課題を解決するための手段】
【０００５】
ユーザ機器がユーザ機器の動作モードを自動的に切り換えることができるようにするため、動作モード切り換え方法およびユーザ機器が提供される。
【０００６】
第1の態様によると、動作モード切り換え方法が提供され、動作モード切り換え方法は、ユーザ機器により、ユーザ機器が第1の所定条件を満足していると判断するステップであって、第1の所定条件は、ユーザ機器の現在のデータ伝送速度が第1の速度閾値を下回ること、および／またはユーザ機器のバッテリ温度が第1の温度閾値を上回ること、を含む、ステップと、ユーザ機器により、ユーザ機器がCA動作モードになっていると判断するステップと、ユーザ機器により、ユーザ機器の伝送モードパラメータを非CA動作モードに対応する伝送モードパラメータに変更するステップであって、ユーザ機器の伝送モードパラメータはユーザ機器のデータ伝送速度を表すために使われ、CA動作モードと非CA動作モードは異なる伝送モードパラメータに対応しており、CA動作モードに対応する伝送モードパラメータによって表されるデータ伝送速度は非CA動作モードに対応する伝送モードパラメータによって表されるデータ伝送速度よりも大きい、ステップと、ユーザ機器により、ユーザ機器の通信モジュールを再起動し、基地局へ第1のアクセス要求を送信するステップであって、第1のアクセス要求は非CA動作モードに対応する伝送モードパラメータを搬送する、ステップとを含む。
【０００７】
ユーザ機器の現在のデータ伝送速度が第1の速度閾値を下回り、ユーザ機器がCA動作モードになっているとユーザ機器が判断する場合は、ユーザ機器によって遂行されている現在のサービスのデータ伝送速度要求が比較的低く、高速データ伝送を行う必要がないことを意味する。換言すると、これは、比較的低いデータ伝送速度を提供できる非CA動作モードでユーザ機器が現在作動しているときに現在のサービスの正常な遂行を保証でき、現在のサービスの正常な遂行を保証するにあたって、比較的高いデータ伝送速度を提供できるCA動作モードでユーザ機器が作動する必要がないことを意味する。この解決策では、ユーザ機器の電力消費量を減らすため、ユーザ機器の現在のデータ伝送速度が第1の速度閾値を下回るときに、ユーザ機器はユーザ機器の伝送モードパラメータを非CA動作モードに対応する伝送モードパラメータに変更でき、その後ユーザ機器の通信モジュールを再起動でき、基地局へ第1のアクセス要求を送信でき、ユーザ機器の伝送モードパラメータを非CA動作モードに対応する伝送モードパラメータに変更することを基地局に要求して、ユーザ機器が非CA動作モードで作動するようにするため、第1のアクセス要求は非CA動作モードに対応する伝送モードパラメータを搬送する。
【０００８】
ユーザ機器が高速データ伝送を行っているときはユーザ機器の電力消費量が比較的多いため、ユーザ機器のバッテリ温度は比較的高くなり得る。ユーザ機器のバッテリ温度が或る値を上回ると電源オフがトリガーされ、セキュリティ上の脅威もあり得る。比較的高いデータ伝送速度を提供できるCA動作モードでユーザ機器が作動するときは、ユーザ機器の電力消費量は比較的多く、比較的低いデータ伝送速度を提供できる非CA動作モードでユーザ機器が作動するときは、ユーザ機器の電力消費量は比較的少ない。したがって、ユーザ機器の電力消費量を減らしてユーザ機器のバッテリ温度を下げるため、ユーザ機器のバッテリ温度が第1の温度閾値を上回り、ユーザ機器がCA動作モードになっているとユーザ機器が判断する場合に、ユーザ機器はユーザ機器の伝送モードパラメータを非CA動作モードに対応する伝送モードパラメータに変更でき、その後ユーザ機器の通信モジュールを再起動でき、基地局へ第1のアクセス要求を送信でき、ユーザ機器の伝送モードパラメータを非CA動作モードに対応する伝送モードパラメータに変更することを基地局に要求して、ユーザ機器が非CA動作モードで作動するようにするため、アクセス要求は非CA動作モードに対応する伝送モードパラメータを搬送する。
【０００９】
この解決策によると、ユーザ機器はユーザ機器の現在のデータ伝送速度および／またはバッテリ温度を自動的に検出でき、ユーザ機器の現在のデータ伝送速度が第1の速度閾値を下回っている場合に、および／またはバッテリ温度が第1の温度閾値を上回っている場合に、ユーザ機器がCA動作モードになっているなら、ユーザ機器上でユーザ機器の伝送モードパラメータを変更できる。ユーザ機器はユーザ機器の通信モジュールを再起動し、ユーザ機器の伝送モードパラメータを非CA動作モードに対応する伝送モードパラメータに変更することを基地局に要求するため、基地局へ第1のアクセス要求を送信し、これにより基地局はユーザ機器の動作モードをCA動作モードから非CA動作モードに切り換える、すなわち、ユーザ機器はユーザ機器の動作モードを自動的に切り換えることができる。
【００１０】
可能な一実装において、ユーザ機器の通信モジュールはユーザ機器の変調復調器（英語：Modulator-DEModulator、略してMODEM）である。ユーザ機器がユーザ機器のMODEMを再起動することは、具体的には、ユーザ機器がユーザ機器のプロトコルスタックを再起動することであってよい。
【００１１】
可能な一実装において、伝送モードパラメータはユーザ機器のプロトコルスタックバージョンであってよい。ユーザ機器はユーザ機器のプロトコルスタックを変更することによってユーザ機器上でユーザ機器の動作モード切り換えを実現できる。具体的に述べると、ユーザ機器により、ユーザ機器の伝送モードパラメータを非CA動作モードに対応する伝送モードパラメータに変更することは、ユーザ機器により、ユーザ機器のプロトコルスタックバージョンを第1のバージョンから第2のバージョンに変更することを含んでよい。第1のバージョンのプロトコルスタックはCA動作モードに対応しており、第2のバージョンのプロトコルスタックは非CA動作モードに対応している。
【００１２】
ユーザ機器は様々なプロトコルスタックで作動でき、プロトコルスタックに対応する動作モードに対応する伝送モードパラメータは様々である。例えば、第1のバージョンのプロトコルスタックはCA動作モードに対応しており、第2のバージョンのプロトコルスタックは非CA動作モードに対応している。CA動作モードに対応する伝送モードパラメータは非CA動作モードに対応する伝送モードパラメータと異なる。例えば、第1のバージョンのプロトコルスタックがrelease 10である場合、release 10は2CC動作モード（すなわちCA動作モード）をサポートし、release 10のデータ能力カテゴリはカテゴリ（英語：Category、略してCAT）6であり、CAT 6の伝送モードパラメータによって表されるデータ伝送速度は毎秒300百万ビット（英語：Million bits per second、略してMbps）である。第2のバージョンのプロトコルスタックがrelease 9である場合、release 9は非CA動作モードをサポートし、release 9のデータ能力カテゴリはCAT 4であり、CAT 4の伝送モードパラメータによって表されるデータ伝送速度は150Mbpsである。例えば、ユーザ機器がユーザ機器のプロトコルスタックを第1のバージョンのプロトコルスタックから第2のバージョンのプロトコルスタックに変更することは、ユーザ機器のプロトコルスタックをrelease 10からrelease 9に変更することを含んでよい。
【００１３】
可能な一実装において、ユーザ機器は構成ファイルを格納し、構成ファイルはユーザ機器によってサポートされるCAコンビネーションの識別子を含み、構成ファイルはユーザ機器の動作モードをユーザ機器に指示するために使われてよく、ユーザ機器は構成ファイルによって指示される動作モードで作動し、伝送モードパラメータはユーザ機器によってサポートされユーザ機器の構成ファイル内に含まれるCAコンビネーションの識別子であってよい。したがって、ユーザ機器は、ユーザ機器によってサポートされ構成ファイル内に含まれるCAコンビネーションの識別子を変更することによってユーザ機器の動作モードに対応する伝送モードパラメータを変更でき、ユーザ機器上でユーザ機器の動作モード切り換えを実現する。具体的に述べると、ユーザ機器により、ユーザ機器の伝送モードパラメータを非CA動作モードに対応する伝送モードパラメータに変更することは、ユーザ機器により、ユーザ機器によってサポートされユーザ機器の構成ファイル内に含まれるCAコンビネーションの識別子を削除することを含んでよい。ユーザ機器によってサポートされユーザ機器の構成ファイル内に含まれるCAコンビネーションの識別子をユーザ機器が削除した後に、構成ファイルはユーザ機器によってサポートされるCAコンビネーションを表す識別子を含んでおらず、これはユーザ機器が現在CA動作モードをサポートできないことを意味する。このように、ユーザ機器はユーザ機器上でユーザ機器の動作モード切り換えを実現でき、ユーザ機器は非CA動作モードで作動し、ユーザ機器の伝送モードパラメータを非CA動作モードに対応する伝送モードパラメータに変更する。
【００１４】
可能な一実装において、ユーザ機器がユーザ機器の通信モジュールを再起動し、基地局へ第1のアクセス要求を送信した後に、第1の態様で提供される動作モード切り換え方法は、ユーザ機器により、基地局によって送信される第1のアクセス応答を受信するステップをさらに含んでよい。第1のアクセス応答は基地局がユーザ機器の動作モードをCA動作モードから非CA動作モードに切り換えたことを伝えるために使われる。基地局によって送信された第1のアクセス応答を受信したユーザ機器は、ユーザ機器の動作モードがCA動作モードから非CA動作モードに首尾よく切り換えられたと判断でき、非CA動作モードで作動を開始できる。
【００１５】
可能な一実装において、ユーザ機器の動作モードがCA動作モードから非CA動作モードに切り換えられた後には、ユーザ機器の電力消費量を減らすことができる。ユーザ機器がある程度の期間にわたって非CA動作モードで作動した後にユーザ機器の電力消費量が比較的少なくなる場合は、基地局はユーザ機器の動作モードを非CA動作モードからCA動作モードに切り換えることができる。ユーザ機器の頻繁な動作モード切り換えを回避するため、基地局は第2のアクセス要求を受信でき、ユーザ機器の現在のデータ伝送速度が第2の速度閾値を下回る場合は、および／またはユーザ機器のバッテリ温度が第2の温度閾値を下回る場合は（すなわち、ユーザ機器のバッテリ温度が比較的低く、ユーザ機器は電源オフにならず、セキュリティ上の脅威がない）、ユーザ機器の動作モードを非CA動作モードからCA動作モードに切り換えるため、ユーザ機器の伝送モードパラメータをCA動作モードに対応する伝送モードパラメータに変更できる。具体的に述べると、ユーザ機器が基地局へ第1のアクセス要求を送信した後に、動作モード切り換え方法は、ユーザ機器により、ユーザ機器が第2の所定条件を満足していると判断するステップであって、ユーザ機器が第2の所定条件を満足することは、ユーザ機器の現在のデータ伝送速度が第2の速度閾値を下回ること、および／またはユーザ機器のバッテリ温度が第2の温度閾値を下回ること、を含み、第1の速度閾値は第2の速度閾値よりも大きく、第1の温度閾値は第2の温度閾値よりも大きい、ステップと、ユーザ機器により、ユーザ機器が非CA動作モードになっていると判断するステップと、ユーザ機器により、ユーザ機器の伝送モードパラメータをCA動作モードに対応する伝送モードパラメータに変更するステップと、ユーザ機器により、ユーザ機器の通信モジュールを再起動し、基地局へ第2のアクセス要求を送信するステップであって、第2のアクセス要求はCA動作モードに対応する伝送モードパラメータを搬送する、ステップとをさらに含んでよい。この解決策において、「ユーザ機器の動作モードを非CA動作モードからCA動作モードに切り換えること」は、ユーザ機器が2つの条件を満足できる場合に限り、すなわち「ユーザ機器の現在のデータ伝送速度が第2の速度閾値を下回る」と「ユーザ機器のバッテリ温度が第2の温度閾値を下回る」を満足できる場合に限り、遂行される。ユーザ機器の現在のデータ伝送速度はユーザ機器の動作モード切り換えを遂行する唯一の判断条件として使われない。現在のデータ伝送速度の変化によるユーザ機器の頻繁な動作モード切り換えは回避できる。
【００１６】
可能な一実装において、伝送モードパラメータはユーザ機器のプロトコルスタックバージョンである。ユーザ機器はユーザ機器のプロトコルスタックを変更することによってユーザ機器上でユーザ機器の動作モード切り換えを実現できる。具体的に述べると、ユーザ機器により、ユーザ機器の伝送モードパラメータをCA動作モードに対応する伝送モードパラメータに変更することは、ユーザ機器により、ユーザ機器のプロトコルスタックバージョンを第2のバージョンから第1のバージョンに変更することを含んでよく、第1のバージョンのプロトコルスタックはCA動作モードに対応しており、第2のバージョンのプロトコルスタックは非CA動作モードに対応している。例えば、第1のバージョンのプロトコルスタックがrelease 10である場合、release 10は2CC動作モード（すなわちCA動作モード）をサポートし、release 10のデータ能力カテゴリはCAT 6であり、CAT 6の伝送モードパラメータによって表されるデータ伝送速度は300 Mbpsである。第2のバージョンのプロトコルスタックがrelease 9である場合、release 9は非CA動作モードをサポートし、release 9のデータ能力カテゴリはCAT 4であり、CAT 4の伝送モードパラメータによって表されるデータ伝送速度は150 Mbpsである。例えば、ユーザ機器がユーザ機器のプロトコルスタックバージョンを第2のバージョンから第1のバージョンに変更することは、ユーザ機器のプロトコルスタックをrelease 9からrelease 10に変更することを含んでよい。
【００１７】
可能な一実装において、ユーザ機器は構成ファイルを格納し、構成ファイルはユーザ機器によってサポートされるCAコンビネーションの識別子を含んでよく、構成ファイルはユーザ機器の動作モードをユーザ機器に指示するために使われてよく、ユーザ機器は構成ファイルによって指示される動作モードで作動し、伝送モードパラメータはユーザ機器によってサポートされユーザ機器の構成ファイル内に含まれるCAコンビネーションの識別子である。したがって、ユーザ機器は、ユーザ機器によってサポートされ構成ファイル内に含まれるCAコンビネーションの識別子を変更することによって、ユーザ機器上でユーザ機器の動作モード切り換えを実現できる。具体的に述べると、ユーザ機器により、ユーザ機器の伝送モードパラメータをCA動作モードに対応する伝送モードパラメータに変更することは、ユーザ機器により、ユーザ機器によってサポートされているCAコンビネーションの識別子をユーザ機器の構成ファイルに加えることを含んでよい。ユーザ機器がユーザ機器によってサポートされているCAコンビネーションの識別子をユーザ機器の構成ファイルに加えた後に、構成ファイルはユーザ機器によってサポートされているCAコンビネーションの識別子を指示でき、これはユーザ機器が現在CA動作モードをサポートできることを意味する。このように、ユーザ機器はユーザ機器上でユーザ機器の動作モード切り換えを実現でき、ユーザ機器はCA動作モードで作動し、ユーザ機器の伝送モードパラメータをCA動作モードに対応する伝送モードパラメータに変更する。例えば、CAコンビネーションの識別子は特定のCAコンビネーションかCAコンビネーションの数を含んでよい。例えば、CA動作モードに対応するCAコンビネーションの識別子は2つの不連続コンポーネントキャリア「B1＋B3」、2つの連続コンポーネントキャリア「B1＋B1」などであってよく、あるいはCAコンビネーションの識別子はユーザが2つのCAコンビネーションをサポートできることを意味する「2」であってもよく、この場合、ユーザ機器は2つのCAコンビネーション「B1＋B3」および「B1＋B1」をサポートできる。ユーザ機器により、ユーザ機器によってサポートされているCAコンビネーションの識別子をユーザ機器の構成ファイルに加えることは、ユーザ機器がユーザ機器の構成ファイルに2つのCAコンビネーションを、具体的には「B1＋B3」および「B1＋B1」を、加えることを含んでよい。
【００１８】
可能な一実装において、ユーザ機器がユーザ機器の通信モジュールを再起動し、基地局へ第2のアクセス要求を送信した後に、方法は、ユーザ機器により、基地局によって送信される第2のアクセス応答を受信するステップをさらに含む。第2のアクセス応答は基地局がユーザ機器の動作モードを非CA動作モードからCA動作モードに切り換えたことを伝えるために使われる。基地局によって送信された第2のアクセス応答を受信したユーザ機器は、ユーザ機器の動作モードが非CA動作モードからCA動作モードに首尾よく切り換えられたと判断でき、CA動作モードで作動を開始できる。
【００１９】
可能な一実装において、CA動作モードは3CC動作モードと2CC動作モードとを含んでよい。3CC動作モードと比べて、2CC動作モードはより低いデータ伝送速度を提供でき、2CC動作モードで作動するユーザ機器の電力消費量は3CC動作モードで作動するユーザ機器の電力消費量を下回る。したがって、ユーザ機器の電力消費量を減らすため、ユーザ機器は、ユーザ機器が3CC動作モードで現在作動している場合に、ユーザ機器を3CC動作モードから2CC動作モードにさらに切り換えることができる。具体的に述べると、動作モード切り換え方法は、ユーザ機器により、ユーザ機器が第3の所定条件を満足していると判断するステップであって、第3の所定条件は、ユーザ機器の現在のデータ伝送速度が第3の速度閾値を下回ること、および／またはユーザ機器のバッテリ温度が第3の温度閾値を上回ること、を含む、ステップと、ユーザ機器により、ユーザ機器が3CC動作モードになっていると判断するステップと、ユーザ機器により、ユーザ機器の伝送モードパラメータを現在の3CC動作モードに対応する伝送モードパラメータから2CC動作モードに対応する伝送モードパラメータに変更するステップと、ユーザ機器により、ユーザ機器の通信モジュールを再起動し、基地局へ第3のアクセス要求を送信するステップであって、第3のアクセス要求は2CC動作モードに対応する伝送モードパラメータを搬送する、ステップとをさらに含んでよい。
【００２０】
可能な一実装において、第3の速度閾値は第1の速度閾値よりも大きく、第3の温度閾値は第1の温度閾値よりも小さい。
【００２１】
可能な一実装において、伝送モードパラメータはユーザ機器のプロトコルスタックバージョンであってよい。ユーザ機器により、ユーザ機器の伝送モードパラメータを3CC動作モードに対応する伝送モードパラメータから2CC動作モードに対応する伝送モードパラメータに変更する方法は、ユーザ機器により、ユーザ機器のプロトコルスタックバージョンを3CC動作モードに対応するプロトコルスタックバージョンから2CC動作モードに対応するプロトコルスタックバージョンに変更するステップを含んでよい。2CC動作モードに対応する伝送モードパラメータは3CC動作モードに対応する伝送モードパラメータと異なる。
【００２２】
可能な一実装において、伝送モードパラメータはユーザ機器によってサポートされユーザ機器の構成ファイル内に含まれるCAコンビネーションの識別子であってよい。ユーザ機器は、ユーザ機器によってサポートされ構成ファイル内に含まれるCAコンビネーションの識別子を変更することによって、ユーザ機器上でユーザ機器の動作モード切り換えを実現できる。具体的に述べると、ユーザ機器により、ユーザ機器の伝送モードパラメータを3CC動作モードに対応する伝送モードパラメータから2CC動作モードに対応する伝送モードパラメータに変更する方法は、ユーザ機器により、ユーザ機器によってサポートされユーザ機器の構成ファイル内に含まれるCAコンビネーションの識別子を3CCコンビネーション識別子から2CCコンビネーション識別子に変更するステップを含んでよい。
【００２３】
可能な一実装において、ユーザ機器がユーザ機器の通信モジュールを再起動し、基地局へ第3のアクセス要求を送信した後に、第1の態様で提供される動作モード切り換え方法は、ユーザ機器により、基地局によって送信される第3のアクセス応答を受信するステップをさらに含んでよい。第3のアクセス応答は基地局がユーザ機器の動作モードを3CC動作モードから2CC動作モードに切り換えたことを伝えるために使われる。基地局によって送信された第3のアクセス応答を受信したユーザ機器は、ユーザ機器の動作モードが3CC動作モードから2CC動作モードに首尾よく切り換えられたと判断でき、2CC動作モードで作動を開始できる。
【００２４】
可能な一実装において、ユーザ機器の動作モードが3CC動作モードから2CC動作モードに切り換えられた後には、ユーザ機器の電力消費量を減らすことができる。ユーザ機器がある程度の期間にわたって2CC動作モードで作動した後にユーザ機器の電力消費量が比較的少なくなる場合は、ユーザ機器の動作モードを2CC動作モードから3CC動作モードに切り換えることができる。ユーザ機器の頻繁な動作モード切り換えを回避するため、ユーザ機器は、条件を満足し2CC動作モードで現在作動している場合に、2CC動作モードから3CC動作モードにユーザ機器を切り換えるため、ユーザ機器の動作モードに対応する伝送モードパラメータを3CC動作モードに対応する伝送モードパラメータに変更することを基地局に要求できる。具体的に述べると、動作モード切り換え方法は、ユーザ機器により、ユーザ機器が第4の所定条件を満足していると判断するステップであって、第4の所定条件は、ユーザ機器の現在のデータ伝送速度が第4の速度閾値を下回ること、および／またはユーザ機器のバッテリ温度が第4の温度閾値を下回ること、を含む、ステップと、ユーザ機器により、ユーザ機器が2CC動作モードになっていると判断するステップと、ユーザ機器により、ユーザ機器の伝送モードパラメータを現在の2CC動作モードに対応する伝送モードパラメータから3CC動作モードに対応する伝送モードパラメータに変更するステップと、ユーザ機器により、ユーザ機器の通信モジュールを再起動し、基地局へ第4のアクセス要求を送信するステップであって、第4のアクセス要求は3CC動作モードに対応する伝送モードパラメータを搬送する、ステップとをさらに含んでよい。第4の速度閾値は第1の速度閾値よりも大きく、第4の速度閾値は第3の速度閾値よりも小さい。第4の温度閾値は第2の温度閾値よりも小さく、第4の温度閾値は第3の温度閾値よりも小さい。
【００２５】
可能な一実装において、伝送モードパラメータはユーザ機器のプロトコルスタックバージョンである。ユーザ機器により、ユーザ機器の伝送モードパラメータを2CC動作モードに対応する伝送モードパラメータから3CC動作モードに対応する伝送モードパラメータに変更する方法は、ユーザ機器により、ユーザ機器のプロトコルスタックバージョンを2CC動作モードに対応するプロトコルスタックバージョンから3CC動作モードに対応するプロトコルスタックバージョンに変更するステップを含んでよい。2CC動作モードに対応する伝送モードパラメータは3CC動作モードに対応する伝送モードパラメータと異なる。
【００２６】
可能な一実装において、伝送モードパラメータはユーザ機器によってサポートされユーザ機器の構成ファイル内に含まれるCAコンビネーションの識別子である。ユーザ機器は、ユーザ機器によってサポートされ構成ファイル内に含まれるCAコンビネーションの識別子を変更することによって、ユーザ機器上でユーザ機器の動作モード切り換えを実現できる。具体的に述べると、ユーザ機器により、ユーザ機器の伝送モードパラメータを2CC動作モードに対応する伝送モードパラメータから3CC動作モードに対応する伝送モードパラメータに変更する方法は、ユーザ機器により、ユーザ機器によってサポートされユーザ機器の構成ファイル内に含まれるCAコンビネーションの識別子を2CCコンビネーション識別子から3CCコンビネーション識別子に変更するステップを含んでよい。
【００２７】
可能な一実装において、ユーザ機器がユーザ機器の通信モジュールを再起動し、基地局へ第4のアクセス要求を送信した後に、方法は、ユーザ機器により、基地局によって送信される第4のアクセス応答を受信するステップをさらに含む。第4のアクセス応答は基地局がユーザ機器の動作モードを2CC動作モードから3CC動作モードに切り換えたことを伝えるために使われる。基地局によって送信された第4のアクセス応答を受信したユーザ機器は、ユーザ機器の動作モードが2CC動作モードから3CC動作モードに首尾よく切り換えられたと判断でき、3CC動作モードで作動を開始できる。
【００２８】
可能な一実装において、ユーザ機器が第1の所定条件を満足することは、ユーザ機器の現在のデータ伝送速度が第1の速度閾値を下回ることを含む。ユーザ機器により、ユーザ機器が第1の所定条件を満足していると判断するステップの前に、本発明の実施形態の第1の態様で提供される動作モード切り換え方法は、ユーザ機器により、ユーザ機器のバッテリ温度が第5の温度閾値を上回っていると判断するステップと、ユーザ機器により、ユーザ機器のデータ伝送速度を制御するステップであって、これによりユーザ機器のデータ伝送速度は第1の速度閾値を下回る、ステップとをさらに含む。ユーザ機器のデータ伝送速度が高くなると、ユーザ機器の電力消費量が多くなり、ユーザ機器のバッテリ温度が高くなる。したがって、ユーザ機器のバッテリ温度が第5の温度閾値を上回る場合は、ユーザ機器はユーザ機器のデータ伝送速度を制御でき、これによりユーザ機器のデータ伝送速度は低減され、第1の速度閾値を下回り、「ユーザ機器の動作モードをCA動作モードから非CA動作モードに切り換える」第1の所定条件を満足する。第5の温度閾値は第1の温度閾値と同じであってよく、あるいは第1の温度閾値よりも大きくてもよい。
【００２９】
第2の態様によると、本発明の一実施形態は動作モード切り換え方法を提供する。方法は、基地局により、ユーザ機器によって送信される第1のアクセス要求を受信するステップであって、第1のアクセス要求は非CA動作モードに対応する伝送モードパラメータを搬送し、第1のアクセス要求は、ユーザ機器が第1の所定条件を満足しユーザ機器が現在CA動作モードになっているとユーザ機器が判断した後に、ユーザ機器によって送信される、ステップと、ユーザ機器の動作モードをCA動作モードから非CA動作モードに切り換えるため、基地局により、ユーザ機器の伝送モードパラメータを非CA動作モードに対応する伝送モードパラメータに変更するステップとを含む。
【００３０】
ユーザ機器の現在のデータ伝送速度が第1の速度閾値を下回り、ユーザ機器がCA動作モードになっているとユーザ機器が判断する場合は、ユーザ機器によって遂行されている現在のサービスのデータ伝送速度要求は比較的低く、高速データ伝送を行う必要がないことを意味する。換言すると、これは、比較的低いデータ伝送速度を提供できる非CA動作モードでユーザ機器が現在作動しているときに現在のサービスの正常な遂行を保証できることを意味する。この解決策では、ユーザ機器の電力消費量を減らすため、ユーザ機器の現在のデータ伝送速度が第1の速度閾値を下回るときに、ユーザ機器はユーザ機器の伝送モードパラメータを非CA動作モードに対応する伝送モードパラメータに変更でき、その後ユーザ機器の通信モジュールを再起動でき、基地局へ第1のアクセス要求を送信でき、ユーザ機器の伝送モードパラメータを非CA動作モードに対応する伝送モードパラメータに変更することを基地局に要求して、ユーザ機器が非CA動作モードで作動するようにするため、第1のアクセス要求は非CA動作モードに対応する伝送モードパラメータを搬送する。
【００３１】
ユーザ機器が高速データ伝送を行っているときはユーザ機器の電力消費量が比較的多いため、ユーザ機器のバッテリ温度は比較的高くなり得る。ユーザ機器のバッテリ温度が或る値を上回ると、セキュリティ上の脅威があり得る。比較的高いデータ伝送速度を提供できるCA動作モードでユーザ機器が作動するときは、ユーザ機器の電力消費量は比較的多く、比較的低いデータ伝送速度を提供できる非CA動作モードでユーザ機器が作動するときは、ユーザ機器の電力消費量は比較的少ない。したがって、ユーザ機器の電力消費量を減らしてユーザ機器のバッテリ温度を下げるため、ユーザ機器のバッテリ温度が第1の温度閾値を上回る場合に、ユーザ機器はユーザ機器の伝送モードパラメータを非CA動作モードに対応する伝送モードパラメータに変更でき、通信モジュールを再起動でき、基地局へ第1のアクセス要求を送信でき、ユーザ機器の伝送モードパラメータを非CA動作モードに対応する伝送モードパラメータに変更することを基地局に要求して、ユーザ機器が非CA動作モードで作動するようにする。
【００３２】
この解決策において、基地局は、ユーザ機器の動作モードをCA動作モードから非CA動作モードに切り換えるために、ユーザ機器によって送信される第1のアクセス要求を受信した後に限り、ユーザ機器の動作モード切り換えを遂行でき、ユーザ機器の伝送モードパラメータを非CA動作モードに対応する伝送モードパラメータに変更できる。基地局はユーザ機器の動作モードを決定しない。
【００３３】
可能な一実装において、基地局がユーザ機器の動作モードをCA動作モードから非CA動作モードに切り換えた後に、方法は、基地局により、ユーザ機器へ第1のアクセス応答を送信するステップをさらに含む。第1のアクセス応答は基地局がユーザ機器の動作モードをCA動作モードから非CA動作モードに切り換えたことを伝えるために使われる。基地局は、ユーザ機器へ第1のアクセス応答を送信することによって、ユーザ機器の動作モードが非CA動作モードに切り換えられたことを知らせることができ、ユーザ機器は非CA動作モードで作動し始める。
【００３４】
可能な一実装において、動作モード切り換え方法は、基地局により、ユーザ機器によって送信される第3のアクセス要求を受信するステップであって、第3のアクセス要求は、ユーザ機器が第3の所定条件を満足しユーザ機器が3CC動作モードで現在作動しているとユーザ機器が判断した後に、ユーザ機器によって送信される、ステップと、ユーザ機器の動作モードを3CC動作モードから2CC動作モードに切り換えるため、基地局により、ユーザ機器の伝送モードパラメータを2CC動作モードに対応する伝送モードパラメータに変更するステップとをさらに含む。
【００３５】
可能な一実装において、基地局がユーザ機器の動作モードを3CC動作モードから2CC動作モードに切り換えた後に、方法は、基地局により、ユーザ機器へ第3のアクセス応答を送信するステップをさらに含む。第3のアクセス応答は基地局がユーザ機器の動作モードを3CC動作モードから2CC動作モードに切り換えたことを伝えるために使われる。基地局は、ユーザ機器へ第3のアクセス応答を送信することによって、ユーザ機器の動作モードが非2CC動作モードに切り換えられたことを知らせることができ、ユーザ機器は2CC動作モードで作動し始める。
【００３６】
可能な一実装において、基地局がユーザ機器の動作モードをCA動作モードから非CA動作モードに切り換えた後に、本発明の実施形態の第2の態様で提供される動作モード切り換え方法は、基地局により、ユーザ機器によって送信される第2のアクセス要求を受信するステップであって、第2のアクセス要求は、ユーザ機器が第2の所定条件を満足しユーザ機器が非CA動作モードで現在作動しているとユーザ機器が判断した後に、ユーザ機器によって送信される、ステップと、ユーザ機器の動作モードを非CA動作モードからCA動作モードに切り換えるため、基地局により、ユーザ機器の伝送モードパラメータをCA動作モードに対応する伝送モードパラメータに変更するステップとをさらに含んでよい。基地局は、ユーザ機器によって送信される第2のアクセス要求を受信した後に限り、ユーザ機器の動作モード切り換えを遂行でき、ユーザ機器の動作モードを非CA動作モードからCA動作モードに切り換えることができる。基地局はユーザ機器の動作モードを決定しない。このように、ユーザ機器はユーザ機器の現在のデータ伝送速度および／またはバッテリ温度を自動的に検出でき、ユーザ機器の現在のデータ伝送速度が第2の速度閾値を下回っている場合に、および／またはバッテリ温度が第2の温度閾値を下回っている場合に、ユーザ機器が非CA動作モードになっているなら、ユーザ機器上でユーザ機器の伝送モードパラメータを変更でき、その後ユーザ機器の通信モジュールを再起動でき、ユーザ機器の伝送モードパラメータをCA動作モードに対応する伝送モードパラメータに変更することを基地局に要求して、基地局がユーザ機器の動作モードを非CA動作モードからCA動作モードに切り換えるようにするため、基地局へ第2のアクセス要求を送信できる。
【００３７】
可能な一実装において、動作モード切り換え方法は、基地局により、ユーザ機器によって送信される第4のアクセス要求を受信するステップであって、第4のアクセス要求は、ユーザ機器の現在のデータ伝送速度が第4の速度閾値を下回り、および／またはユーザ機器のバッテリ温度が第4の温度閾値を下回り、ユーザ機器が2CC作動モードで現在作動しているとユーザ機器が判断した後に、ユーザ機器によって送信される、ステップと、ユーザ機器の伝送モードパラメータを2CC動作モードに対応する伝送モードパラメータから3CC動作モードに対応する伝送モードパラメータに変更し、基地局により、ユーザ機器の動作モードを2CC動作モードから3CC動作モードに切り換えるステップとをさらに含む。
【００３８】
可能な一実装において、ユーザ機器がユーザ機器の通信モジュールを再起動し、基地局へ第2のアクセス要求を送信した後に、本発明の実施形態の第2の態様で提供される動作モード切り換え方法は、基地局により、ユーザ機器へ第2のアクセス応答を送信するステップをさらに含んでよい。第2のアクセス応答は基地局がユーザ機器の動作モードを非CA動作モードからCA動作モードに切り換えたことを伝えるために、またユーザ機器がCA動作モードで作動を開始できることを知らせるために、使われる。
【００３９】
可能な一実装において、ユーザ機器が基地局へ第4のアクセス要求を送信した後に、動作モード切り換え方法は、基地局により、ユーザ機器へ第4のアクセス応答を送信するステップをさらに含む。第4のアクセス応答は基地局がユーザ機器の動作モードを2CC動作モードから3CC動作モードに切り換えたことを伝えるために、またユーザ機器が3CC動作モードで作動を開始できることを知らせるために、使われる。
【００４０】
第3の態様によると、本発明の一実施形態はユーザ機器を提供する。ユーザ機器は、条件判断モジュールと、変更モジュールと、起動モジュールと、送信モジュールとを含む。条件判断モジュールはユーザ機器が第1の所定条件を満足していると判断するように構成され、第1の所定条件は、ユーザ機器の現在のデータ伝送速度が第1の速度閾値を下回ること、および／またはユーザ機器のバッテリ温度が第1の温度閾値を上回ること、を含む。変更モジュールは、ユーザ機器がキャリアアグリゲーションCA動作モードになっている場合に、ユーザ機器の伝送モードパラメータを非CA動作モードに対応する伝送モードパラメータに変更するように構成され、ユーザ機器の伝送モードパラメータはユーザ機器のデータ伝送速度を表すために使われ、CA動作モードと非CA動作モードは異なる伝送モードパラメータに対応しており、CA動作モードに対応する伝送モードパラメータによって表されるデータ伝送速度は非CA動作モードに対応する伝送モードパラメータによって表されるデータ伝送速度よりも大きい。起動モジュールはユーザ機器の通信モジュールを再起動するように構成される。送信モジュールは、起動モジュールがユーザ機器の通信モジュールを再起動した後に、基地局へ第1のアクセス要求を送信するように構成され、第1のアクセス要求は非CA動作モードに対応する伝送モードパラメータを搬送する。
【００４１】
可能な一実装において、伝送モードパラメータはユーザ機器のプロトコルスタックバージョンである。変更モジュールは、ユーザ機器のプロトコルスタックバージョンを第1のバージョンから第2のバージョンに変更するように具体的に構成され、第1のバージョンのプロトコルスタックはCA動作モードに対応しており、第2のバージョンのプロトコルスタックは非CA動作モードに対応している。
【００４２】
可能な一実装において、伝送モードパラメータはユーザ機器によってサポートされユーザ機器の構成ファイル内に含まれるCAコンビネーションの識別子である。ユーザ機器は格納モジュールをさらに含む。格納モジュールはユーザ機器の構成ファイルを格納するように構成され、構成ファイルはユーザ機器によってサポートされるCAコンビネーションの識別子を含む。変更モジュールは、ユーザ機器によってサポートされ格納モジュールに格納された構成ファイル内に含まれるCAコンビネーションの識別子を削除するように具体的に構成される。
【００４３】
可能な一実装において、本発明の本実施形態で提供されるユーザ機器は受信モジュールをさらに含んでよい。受信モジュールは基地局によって送信される第1のアクセス応答を受信するように構成される。第1のアクセス応答は基地局がユーザ機器の動作モードをCA動作モードから非CA動作モードに切り換えたことを伝えるために使われる。基地局によって送信された第1のアクセス応答を受信したユーザ機器は、ユーザ機器の動作モードがCA動作モードから非CA動作モードに首尾よく切り換えられたと判断でき、非CA動作モードで作動を開始できる。
【００４４】
可能な一実装において、条件判断モジュールは、送信モジュールが基地局へ第1のアクセス要求を送信した後に、ユーザ機器が第2の所定条件を満足していると判断するようにさらに構成され、第2の所定条件は、ユーザ機器の現在のデータ伝送速度が第2の速度閾値を下回ること、およびユーザ機器のバッテリ温度が第2の温度閾値を下回ること、を含み、第1の速度閾値は第2の速度閾値よりも大きく、第1の温度閾値は第2の温度閾値よりも大きい。変更モジュールはユーザ機器の伝送モードパラメータをCA動作モードに対応する伝送モードパラメータに変更するようにさらに構成される。送信モジュールは、起動モジュールがユーザ機器の通信モジュールを再起動するときに、基地局へ第2のアクセス要求を送信するようにさらに構成され、第2のアクセス要求はCA動作モードに対応する伝送モードパラメータを搬送する。
【００４５】
可能な一実装において、受信モジュールは基地局によって送信される第2のアクセス応答を受信するようにさらに構成される。第2のアクセス応答は基地局がユーザ機器の動作モードを非CA動作モードからCA動作モードに切り換えたことを伝えるために使われる。基地局によって送信された第2のアクセス応答を受信したユーザ機器は、ユーザ機器の動作モードが非CA動作モードからCA動作モードに首尾よく切り換えられたと判断でき、CA動作モードで作動を開始できる。
【００４６】
可能な一実装において、条件判断モジュールはユーザ機器が第3の所定条件を満足していると判断するようにさらに構成されてよい。変更モジュールは、ユーザ機器が3CC動作モードになっているときに、ユーザ機器の伝送モードパラメータを現在の3CC動作モードに対応する伝送モードパラメータから2CC動作モードに対応する伝送モードパラメータに変更するようにさらに構成されてよい。送信モジュールは、起動モジュールがユーザ機器の通信モジュールを再起動するときに、基地局へ第3のアクセス要求を送信するようにさらに構成されてよく、第3のアクセス要求は2CC動作モードに対応する伝送モードパラメータを搬送する。
【００４７】
可能な一実装において、条件判断モジュールはユーザ機器が第4の所定条件を満足していると判断するようにさらに構成されてよい。変更モジュールは、ユーザ機器が2CC動作モードになっているときに、ユーザ機器の伝送モードパラメータを現在の2CC動作モードに対応する伝送モードパラメータから3CC動作モードに対応する伝送モードパラメータに変更するようにさらに構成されてよい。送信モジュールは、起動モジュールがユーザ機器の通信モジュールを再起動するときに、基地局へ第4のアクセス要求を送信するようにさらに構成されてよく、第4のアクセス要求は3CC動作モードに対応する伝送モードパラメータを搬送する。
【００４８】
第4の態様によると、本発明の一実施形態は、プロセッサと、メモリと、バスと、通信インターフェースとを含むユーザ機器を提供する。プロセッサとメモリと通信インターフェースはバスを用いて互いに接続される。メモリはコンピュータプログラムコードを格納するように構成される。コンピュータプログラムコードは命令を含む。ユーザ機器のプロセッサが命令を実行すると、ユーザ機器は第1の態様および第1の態様の様々な可能な実装による動作モード切り換え方法を遂行する。
【００４９】
第5の態様によると、本発明の一実施形態はコンピュータ記憶媒体を提供する。コンピュータ記憶媒体はコンピュータプログラムコードを格納し、コンピュータプログラムコードは命令を含む。ユーザ機器のプロセッサが命令を実行すると、ユーザ機器は第1の態様および第1の態様の様々な可能な実装による動作モード切り換え方法を遂行する。
【００５０】
第3の態様と第4の態様におけるユーザ機器のモジュールの詳細な説明と対応する技術的効果分析については、第1の態様および第1の態様の様々な可能な実装における詳細な説明を参照されたい。本発明の実施形態では詳細をここで繰り返し説明しない。
【００５１】
第6の態様によると、本発明の一実施形態は基地局を提供する。基地局は受信モジュールと切り換えモジュールとを含む。受信モジュールはユーザ機器によって送信される第1のアクセス要求を受信するように構成される。第1のアクセス要求は、ユーザ機器がCA動作モードになっているとユーザ機器が判断し、ユーザ機器が第1の所定条件を満足しているとユーザ機器が判断した後に、ユーザ機器によって送信される。切り換えモジュールは、ユーザ機器の動作モードをCA動作モードから非CA動作モードに切り換えるため、ユーザ機器の伝送モードパラメータを非CA動作モードに対応する伝送モードパラメータに変更するように構成される。
【００５２】
可能な一実装において、受信モジュールは、切り換えモジュールがユーザ機器の動作モードをCA動作モードから非CA動作モードに切り換えた後に、ユーザ機器によって送信される第2のアクセス要求を受信するようにさらに構成される。第2のアクセス要求は、ユーザ機器が第2の所定条件を満足しているとユーザ機器が判断し、ユーザ機器が非CA動作モードになっているとユーザ機器が判断した後に、ユーザ機器によって送信され、第1の温度閾値は第2の温度閾値よりも大きい。切り換えモジュールは、ユーザ機器の動作モードを非CA動作モードからCA動作モードに切り換えるため、受信モジュールが第2のアクセス要求を受信した後に、ユーザ機器の伝送モードパラメータをCA動作モードに対応する伝送モードパラメータに変更するようにさらに構成される。
【００５３】
可能な一実装において、本発明の本実施形態で提供される基地局は送信モジュールをさらに含んでよい。送信モジュールはユーザ機器へ第1のアクセス応答を送信するように構成される。第1のアクセス応答は基地局がユーザ機器の動作モードをCA動作モードから非CA動作モードに切り換えたことを伝えるために使われる。
【００５４】
可能な一実装において、送信モジュールはユーザ機器へ第2のアクセス応答を送信するようにさらに構成される。第2のアクセス応答は基地局がユーザ機器の動作モードを非CA動作モードからCA動作モードに切り換えたことを伝えるために使われる。
【００５５】
第2の態様、第3の態様、および第6の態様における第1の所定条件、第2の所定条件、第3の所定条件、および第4の所定条件の詳細な説明については、第1の態様の関連説明を参照されたい。ここでは詳細を繰り返し説明しない。
【００５６】
第7の態様によると、プロセッサと、メモリと、バスと、通信インターフェースとを含む基地局が提供される。プロセッサとメモリと通信インターフェースはバスを用いて互いに接続される。メモリはコンピュータプログラムコードを格納するように構成される。コンピュータプログラムコードは命令を含む。基地局のプロセッサが命令を実行すると、基地局は第2の態様および第2の態様の様々な可能な実装による動作モード切り換え方法を遂行する。
【００５７】
第8の態様によると、本発明の一実施形態はコンピュータ記憶媒体を提供する。コンピュータ記憶媒体はコンピュータプログラムコードを格納し、コンピュータプログラムコードは命令を含む。基地局のプロセッサが命令を実行すると、基地局は第2の態様および第2の態様の様々な可能な実装による動作モード切り換え方法を遂行する。
【００５８】
第6の態様と第7の態様における基地局のモジュールの詳細な説明と対応する技術的効果分析については、第2の態様および第2の態様の様々な可能な実装における詳細な説明を参照されたい。本発明の実施形態では詳細をここで繰り返し説明しない。
【図面の簡単な説明】
【００５９】
【図１】本発明の一実施形態による動作モード切り換え方法が適用されるネットワークの概略構造図である。
【図２】本発明の一実施形態によるユーザ機器の可能な概略構造図である。
【図３】本発明の一実施形態による携帯電話機の可能な概略構造図である。
【図４】本発明の一実施形態による動作モード切り換え方法の流れ図である。
【図５】本発明の一実施形態による別の動作モード切り換え方法の流れ図である。
【図６】本発明の一実施形態による別の動作モード切り換え方法の流れ図である。
【図７Ａ】本発明の一実施形態による別の動作モード切り換え方法の流れ図である。
【図７Ｂ】本発明の一実施形態による別の動作モード切り換え方法の流れ図である。
【図８Ａ】本発明の一実施形態による別の動作モード切り換え方法の流れ図である。
【図８Ｂ】本発明の一実施形態による別の動作モード切り換え方法の流れ図である。
【図９】本発明の一実施形態による別の動作モード切り換え方法の流れ図である。
【図１０】本発明の一実施形態によるユーザ機器の別の可能な概略構造図である。
【図１１】本発明の一実施形態によるユーザ機器の別の可能な概略構造図である。
【図１２】本発明の一実施形態による基地局の可能な概略構造図である。
【図１３】本発明の一実施形態による基地局の別の可能な概略構造図である。
【発明を実施するための形態】
【００６０】
動作モード切り換え方法はユーザ機器の動作モード切り換えプロセスに適用できる。本発明の実施形態において、ユーザ機器の動作モードはキャリアアグリゲーション（英語：Carrier Aggregation、略してCA）動作モードと非CA動作モードとを含み得る。CA動作モードは3コンポーネントキャリア（英語：Component Carrier、略してCC）動作モードと2CC動作モードとを含み得る。2CCは2つの連続または不連続コンポーネントキャリアにキャリアアグリゲーションが行われることを意味し、3CCは3つの連続または不連続コンポーネントキャリアにキャリアアグリゲーションが行われることを意味する。
【００６１】
CA動作モードに対応する伝送モードパラメータは非CA動作モードに対応する伝送モードパラメータと異なる。ユーザ機器の伝送モードパラメータはユーザ機器のデータ伝送速度を表すために使われる。CA動作モードに対応する伝送モードパラメータによって表されるデータ伝送速度は非CA動作モードに対応する伝送モードパラメータによって表されるデータ伝送速度よりも大きい。例えば、CA動作モードにおける2CC動作モードに対応する伝送モードパラメータによって表されるデータ伝送速度は毎秒300百万ビット（英語：Million bits per second、略してMbps）であり、非CA動作モードに対応する伝送モードパラメータによって表されるデータ伝送速度は150 Mbpsであり得る。
【００６２】
図1は動作モード切り換え方法が適用されるネットワークの概略構造図である。図1に示されているように、動作モード切り換え方法が適用されるネットワークは少なくとも1つのユーザ機器11と基地局12とを含む。
【００６３】
本発明の本実施形態では、1台のユーザ機器11と基地局12とのやり取りを通じてユーザ機器11の動作モード切り換えが実現される一例を用いて動作モード切り換え方法を説明する。
【００６４】
ユーザ機器11は電源オフの後に基地局12へアクセス要求を送信できる。基地局12は、ユーザ機器11によって送信されたアクセス要求を受信した後にユーザ機器へアクセス応答を送信できる。アクセス応答はユーザ機器11の動作モード指示情報を搬送できる。例えば、アクセス応答はCA動作モードに対応する伝送モードパラメータを搬送できる。ユーザ機器11は、CA動作モードに対応しアクセス応答で搬送される伝送モードパラメータに基づいて、ユーザ機器11がCA動作モードで作動すると判断できる。勿論、ユーザ機器11が能力報告を行うときに、基地局12は、ユーザ機器11がCA動作モードをサポートすると判断する場合に限り、ユーザ機器11へアクセス応答を送信できる。アクセス応答はCA動作モードに対応する伝送モードパラメータを搬送する。ユーザ機器11がデータ通信を行う過程で、基地局12は、ユーザ機器11のデータ伝送速度（例えば、ユーザ機器のデータ伝送速度が或る値に満たない）とネットワークの現状（例えば、ネットワークにおける現在のネットワーク干渉状態）とに基づいて、ユーザ機器11へ非CA動作モード切り換えメッセージを送信できる。この切り換えメッセージは非CA動作モードに対応する伝送モードパラメータを搬送できる。ユーザ機器11はCA動作モードをサポートし、CA動作モードに対応する伝送モードパラメータによって表されるデータ伝送速度は非CA動作モードに対応する伝送モードパラメータによって表されるデータ伝送速度よりも大きい。したがって、ユーザ機器11は、切り換えメッセージを受信した後に、非CA動作モードで作動するために、ユーザ機器11の伝送モードパラメータを非CA動作モードに対応する伝送モードパラメータと下方適合となるように制御できる。
【００６５】
例えば、ユーザ機器11は、携帯電話機、モバイルワイヤレスフィディリティ（英語：Mobile Wifi）、データカード、ポータブルコンピュータ、無線通信モジュールといったCA技術をサポートする端末デバイスであってよい。
【００６６】
図2は本発明の一実施形態によるユーザ機器の概略構造図である。本発明の本実施形態で提供されるユーザ機器は本発明の実施形態の方法を実現するように構成されてよい。説明を簡単にするため、本発明の本実施形態に関係する部分だけが図示されている。開示されていない具体的な技術的詳細については、本発明の以降の実施形態を参照されたい。
【００６７】
具体的に述べると、ユーザ機器は、プロセッサと、通信インターフェースと、メモリと、バスとを含む。図2に示されているように、ユーザ機器200は、プロセッサ201と、通信インターフェース202と、メモリ203と、バス204とを含む。プロセッサ201と通信インターフェース202とメモリ203はバス204を用いて互いに接続されている。バス204はアドレスバス、データバス、コントロールバスなどに分類され得る。表現を簡単にするため、図2ではバスを表すためにただ1つの太線が使われているが、これはバスが1つしかないことを、あるいはバスが1種類しかないことを、意味しない。
【００６８】
例えば、本発明の本実施形態では、ユーザ機器が携帯電話機である一例を用いて説明が提供される。図3は本発明の実施形態に関係する携帯電話機300の部分的構造のブロック図である。図3の携帯電話機300は、無線周波（英語：Radio Frequency、略してRF）回路330、メモリ330、入力ユニット319、表示ユニット340、センサ350、オーディオ回路360、ワイヤレスフィデリティ（英語：wireless fidelity、略してWiFi）モジュール370、プロセッサ380、電源390などの部品を含む。当業者なら、図3に示された携帯電話機の構造が携帯電話機を限定するものではないこと、携帯電話機が図に示されたものよりも多くの、または少ない、コンポーネントを含み得ること、あるいは一部のコンポーネントは組み合わせることができること、あるいは異なるコンポーネント配置を使用できることを、理解できる。
【００６９】
RF回路310は情報を送受するプロセスで信号を送受するように構成されてよく、無線通信を通じてネットワークや別のデバイスとさらに通信でき、例えば別のデバイスへサービス要求を送信でき、あるいは別のデバイスによって送信される応答メッセージを受信できる。メモリ320は、ソフトウェアプログラム、モジュール、データ情報、およびデータファイルを格納するように構成されてよい。例えば、メモリ320は携帯電話機300内にあって携帯電話機300の動作モードに関係する構成ファイルと、RF回路310によって別のデバイスへ送信されるサービス要求を、あるいは別のデバイスによって送信されてRF回路310によって受信される応答メッセージを、格納するように構成されてよい。
【００７０】
入力ユニット330は、入力されたテキストまたは文字を受け取り、なおかつ携帯電話機200の機能制御とユーザ設定に関係する信号入力を生成するように構成されてよい。例えば、入力ユニット330は、メモリ320に格納された携帯電話機300の構成ファイル内にあって携帯電話機300の動作モードに関係する情報（信号）を変更するため、ユーザ入力を受け取るように構成されてよい。具体的に述べると、入力ユニット330はタッチパネル331と別の入力デバイス332とを含んでよい。具体的に述べると、別の入力デバイス332は、物理的なキーボード、機能キー（音量コントロールキー、スイッチキーなど）、トラックボール、マウス、およびジョイスティックのいずれか1つ以上を含み得、ただしこれらに限定されない。
【００７１】
表示ユニット340は、ユーザによって入力される情報を、あるいはユーザに提供される情報を、ならびに携帯電話機300の様々なメニューを、表示するように構成されてよい。表示ユニット340はディスプレイパネル341を含んでよい。任意に選べることとして、ディスプレイパネル341は、液晶ディスプレイ（英語：Liquid Crystal、略してLCD Display）、有機発光ダイオード（英語：Organic Light-Emitting Diode、略してOLED）などを使って構成されてよい。さらに、タッチパネル331はディスプレイパネル341を覆ってよい。タッチイベントのタイプを判断するため、タッチパネル331は、タッチパネル331かその近くでタッチ操作を検出した後に、プロセッサ380へタッチ操作を転送する。プロセッサ280はその後、タッチイベントのタイプに従ってディスプレイパネル341上に対応する視覚的出力を提供する。
【００７２】
図3では、携帯電話機300の入出力機能を実現するために、タッチパネル331とディスプレイパネル341が2つの独立した部品として使われているが、いくつかの実施形態では、携帯電話機300の入出力機能を実現するために、タッチパネル331とディスプレイパネル341が統合されてよい。
【００７３】
携帯電話機300は、光センサ、運動センサ、他のセンサなど、少なくとも1つのセンサ350をさらに含んでよい。オーディオ回路360とスピーカ361とマイクロフォン362はユーザと携帯電話機300との間にオーディオインターフェースを提供できる。
【００７４】
なお、RF回路330および／またはWi-Fiモジュール370は携帯電話機300の通信インターフェースであってよい。
【００７５】
本発明の実施形態で提供される動作モード切り換え方法によると、ユーザ機器はユーザ機器の現在のデータ伝送速度および／またはバッテリ温度を自動的に検出でき、ユーザ機器の現在のデータ伝送速度および／またはバッテリ温度が条件を満足した後に、ユーザ機器の伝送モードパラメータを変更することによってユーザ機器の動作モードを切り換えることができる。
【００７６】
これ以降は、添付の図面を参照しながら、本発明の実施形態による動作モード切り換え方法およびユーザ機器を、具体的な実施形態と適用シナリオを用いて詳しく説明する。
【００７７】
本発明の一実施形態は動作モード切り換え方法を提供する。図4に示されているように、動作モード切り換え方法は以下のステップを含んでよい。
【００７８】
S401：プロセッサ201はユーザ機器が第1の所定条件を満足していると判断する。
【００７９】
第1の所定条件は、ユーザ機器の現在のデータ伝送速度が第1の速度閾値を下回ること、および／またはユーザ機器のバッテリ温度が第1の温度閾値を上回ること、を含む。
【００８０】
例えば、ユーザ機器の現在のデータ伝送速度が第1の速度閾値を下回る場合に、ユーザ機器はユーザ機器が第1の所定条件を満足していると判断でき、あるいはユーザ機器のバッテリ温度が第1の温度閾値を上回る場合に、プロセッサ201はユーザ機器が第1の所定条件を満足していると判断でき、あるいはユーザ機器の現在のデータ伝送速度が第1の速度閾値を下回り、なおかつユーザ機器のバッテリ温度が第1の温度閾値を上回る場合に、プロセッサ201はユーザ機器が第1の所定条件を満足していると判断できる。
【００８１】
ユーザ機器のバッテリ温度はさらに、ユーザ機器のコンポーネントの温度であってもよい。例えば、コンポーネントはユーザ機器内の中央処理装置（英語：Central Processing Unit、略してCPU）であってよい。
【００８２】
S402：プロセッサ201はユーザ機器がCA動作モード切り換え能力を有しているかどうかを判断する。
【００８３】
例えば、プロセッサ201はメモリ203内に格納されたユーザ機器の構成ファイルを使ってユーザ機器がCA動作モード切り換え能力を有しているかどうかを判断できる。ユーザ機器の構成ファイルはユーザ機器の切り換え能力指示情報を格納できる。切り換え能力指示情報は、ユーザ機器がCA動作モード切り換え能力を有しているかどうかを指示するために使われてよい。例えば切り換え能力指示情報は少なくとも1つのビット情報であってよい。切り換え能力指示情報が1つのビット情報であると仮定する。切り換え能力指示情報が「1」であるなら、これはユーザ機器がCA動作モード切り換え能力を有していることを意味する。切り換え能力指示情報が「0」であるなら、これはユーザ機器がCA動作モード切り換え能力を有していないことを意味する。
【００８４】
具体的に述べると、ユーザ機器がCA動作モード切り換え能力を有している場合は、S203へ進む。ユーザ機器がCA動作モード切り換え能力を有していない場合は、ユーザ機器の動作モード切り換えプロセスが終了する。
【００８５】
S403：プロセッサ201はユーザ機器がCA動作モードになっているかどうかを判断する。
【００８６】
例えば、本発明の本実施形態の一実装において、プロセッサ201は、ユーザ機器が作動しているプロトコルスタックのバージョンを使ってユーザ機器がCA動作モードになっているかどうかを判断できる。
【００８７】
ユーザ機器は様々なプロトコルスタックで作動でき、プロトコルスタックに対応する動作モードは様々である。第1のバージョンのプロトコルスタックはCA動作モードに対応しており、第2のバージョンのプロトコルスタックは非CA動作モードに対応していると仮定する。例えば、第1のバージョンのプロトコルスタックはrelease 10であり、release 10は2CC動作モード（すなわちCA動作モード）をサポートし、第2のバージョンのプロトコルスタックはrelease 9であり、release 9は非CA動作モードをサポートする。ユーザ機器が第1のバージョンのプロトコルスタック（release 10）で作動していると判断する場合、プロセッサ201はユーザ機器がCA動作モードになっていると判断できる。ユーザ機器が第2のバージョンのプロトコルスタック（release 9）で作動していると判断する場合、プロセッサ201はユーザ機器が非CA動作モードになっていると判断できる。
【００８８】
本発明の本実施形態の別の一実装において、プロセッサ201は、メモリ203に格納された構成ファイルを使ってユーザ機器がCA動作モードになっているかどうかを判断できる。メモリ203はユーザ機器の構成ファイルを格納し、構成ファイルはユーザ機器によってサポートされるCAコンビネーションの識別子を含み、構成ファイルはユーザ機器の動作モードをプロセッサ201に指示するために使われてよく、ユーザ機器は構成ファイルによって指示される動作モードで作動する。したがって、プロセッサ201はユーザ機器の構成ファイルを見ることができる。ユーザ機器の構成ファイルがユーザ機器によってサポートされるCAコンビネーションの識別子を含んでいる場合、これはユーザ機器がCA動作モードで作動していることを意味する。ユーザ機器の構成ファイルがユーザ機器によってサポートされるCAコンビネーションの識別子を含んでいない場合、これはユーザ機器が非CA動作モードで作動していることを意味する。
【００８９】
ユーザ機器がCA動作モードで作動する場合は、ユーザ機器のデータ伝送速度が比較的高いが、ユーザ機器の比較的高いデータ伝送速度のためユーザ機器の電力消費量も比較的多く、結果的に、ユーザ機器のバッテリ温度は比較的高くなる。ユーザ機器が非CA動作モードで作動する場合は、ユーザ機器のデータ伝送速度が比較的低く、ユーザ機器のバッテリ温度も比較的低い。したがって、ユーザ機器が長時間にわたって高速データ伝送を行う必要がない場合は、比較的低いデータ伝送速度を提供できる非CA動作モードでユーザ機器が作動することで、現在のサービスの正常な遂行を保証できる。このように、ユーザ機器の現在のデータ伝送速度が第1の速度閾値を下回り、ユーザ機器がCA動作モードになっている場合は、ユーザ機器の動作モードをCA動作モードから非CA動作モードに切り換えることができる。
【００９０】
ユーザ機器が高速データ伝送を行っているときはユーザ機器の電力消費量が比較的多いため、ユーザ機器のバッテリ温度は比較的高くなり得る。ユーザ機器のバッテリ温度が或る値を上回ると電源オフがトリガーされ、セキュリティ上の脅威もあり得る。ユーザ機器でセキュリティの事故が生じる可能性を下げるため、プロセッサ201はユーザ機器の電力消費量を減らすことによってユーザ機器のバッテリ温度を下げることができる。このように、ユーザ機器のバッテリ温度が第1の温度閾値を上回っているときにはユーザ機器はCA動作モードになっており、プロセッサ201はユーザ機器のCA動作モードを電力消費量が比較的低い非CA動作モードに切り換えることができる。
【００９１】
換言すると、プロセッサ201はユーザ機器の現在のデータ伝送速度および／またはバッテリ温度を自動的に検出でき、ユーザ機器の現在のデータ伝送速度が第1の速度閾値を下回っている場合に、および／またはバッテリ温度が第1の温度閾値を上回っている場合に、ユーザ機器がCA動作モードになっているなら、S404へ進み、ユーザ機器が非CA動作モードになっているなら、ユーザ機器の動作モード切り換えプロセスは終了する。
【００９２】
S404：プロセッサ201はユーザ機器の伝送モードパラメータを非CA動作モードに対応する伝送モードパラメータに変更する。
【００９３】
任意に選べることとして、本発明の本実施形態で提供される第1の適用シナリオにおいて、伝送モードパラメータはユーザ機器のプロトコルスタックバージョンであってよい。プロセッサ201がユーザ機器のプロトコルスタックバージョンを変更するやり方は、ユーザ機器の伝送モードパラメータを非CA動作モードに対応する伝送モードパラメータに変更することである。具体的に述べると、図5に示されているように、図4のS404はS404aに差し替えることができる。
【００９４】
S404a：プロセッサ201はユーザ機器のプロトコルスタックバージョンを第1のバージョンから第2のバージョンに変更する。
【００９５】
ユーザ機器は様々なプロトコルスタックで作動でき、プロトコルスタックに対応する伝送モードパラメータは様々であり、様々な伝送モードパラメータは様々な動作モードに対応しており、伝送モードパラメータはユーザ機器のプロトコルスタックバージョンであってよい。したがって、プロセッサ201はユーザ機器のプロトコルスタックバージョンを変更することによってユーザ機器の伝送モードパラメータを変更でき、そうすることでユーザ機器の動作モードを切り換える。
【００９６】
例えば、第1のバージョンのプロトコルスタックはCA動作モードに対応しており、第2のバージョンのプロトコルスタックは非CA動作モードに対応している。第1のバージョンのプロトコルスタックの伝送モードパラメータは第2のバージョンのプロトコルスタックの伝送モードパラメータと異なる、すなわちCA動作モードに対応する伝送モードパラメータは非CA動作モードに対応する伝送モードパラメータと異なる。例えば、第1のバージョンのプロトコルスタックがrelease 10である場合、release 10は2CC動作モード（すなわちCA動作モード）をサポートし、release 10のデータ能力カテゴリはカテゴリ（英語：Category、略してCAT）6であり、CAT 6の伝送モードパラメータによって表されるデータ伝送速度は毎秒300百万ビットMbpsである。第2のバージョンのプロトコルスタックがrelease 9である場合、release 9は非CA動作モードをサポートし、release 9のデータ能力カテゴリはCAT 4であり、CAT 4の伝送モードパラメータによって表されるデータ伝送速度は150Mbpsである。
【００９７】
プロセッサ201はユーザ機器のプロトコルスタックバージョンをrelease 10からrelease 9に変更でき、その後、ユーザ機器の伝送モードパラメータを2CC動作モード（すなわちCA動作モード）に対応する伝送モードパラメータ（300 Mbpsのデータ伝送速度を表す）から非CA動作モードに対応する伝送モードパラメータ（150 Mbpsのデータ伝送速度を表す）に変更できる。
【００９８】
任意に選べることとして、本発明の本実施形態の第2の適用シナリオにおいて、伝送モードパラメータはユーザ機器によってサポートされユーザ機器の構成ファイル内に含まれるCAコンビネーションの識別子である。メモリ203はユーザ機器の構成ファイルを格納し、構成ファイルはユーザ機器によってサポートされるCAコンビネーションの識別子を含み、構成ファイルはユーザ機器の動作モードを指示するために使われてよく、プロセッサ201は構成ファイルによって指示される動作モードでユーザ機器が作動できるようにし、伝送モードパラメータはユーザ機器によってサポートされユーザ機器の構成ファイル内に含まれるCAコンビネーションの識別子であってよい。したがって、プロセッサ201は、ユーザ機器によってサポートされ構成ファイル内に含まれるCAコンビネーションの識別子を変更することにより、ユーザ機器上でユーザ機器の動作モード切り換えを実現できる。具体的に述べると、図6に示されているように、図4のS404はS404bに差し替えることができる。
【００９９】
S404b：プロセッサ201はユーザ機器によってサポートされユーザ機器の構成ファイル内に含まれるCAコンビネーションの識別子を削除する。
【０１００】
プロセッサ201がユーザ機器によってサポートされユーザ機器の構成ファイル内に含まれるCAコンビネーションの識別子を削除した後に、ユーザ機器の構成ファイルはCAコンビネーションの識別子を含んでおらず、これは現在ユーザ機器がCA動作モードで作動できないことを意味する。このように、プロセッサ201はユーザ機器上でユーザ機器の動作モード切り換えを実現でき、ユーザ機器は非CA動作モードで作動し、ユーザ機器の伝送モードパラメータを非CA動作モードに対応する伝送モードパラメータに変更する。
【０１０１】
例えば、CAコンビネーションの識別子はユーザ機器によってサポートされたCA動作モードのキャリアのコンビネーション識別子であってよい。例えば、ユーザ機器が3CC動作モードをサポートするなら、ユーザ機器の構成ファイル内に含まれるCAコンビネーションの識別子はB1＋B2＋B3であってよい。B1、B2、およびB3は3CC動作モードで束ねられる3つのキャリアを指示するために使われる。ユーザ機器が2CC動作モードをサポートするなら、ユーザ機器の構成ファイル内に含まれるCAコンビネーションの識別子はB1＋B3である。B1およびB3は2CC動作モードで束ねられる2つのキャリアを指示するために使われる。
【０１０２】
ユーザ機器が3CC動作モードをサポートする一例を使い、この場合、ユーザ機器の構成ファイル内に含まれるCAコンビネーションの識別子はB1＋B2＋B3である得る。プロセッサ201はユーザ機器の構成ファイル内に含まれる「B1＋B2＋B3」を削除できる。このように、ユーザ機器の構成ファイルはユーザ機器によってサポートされるCAコンビネーションの識別子を含んでおらず、これは現在ユーザ機器がCA動作モードで作動できないことを意味する。このように、プロセッサ201はユーザ機器上でユーザ機器の動作モードを非CA動作モードに切り換えることができる。
【０１０３】
任意に選べることとして、CAコンビネーションの識別子は、ユーザ機器によってサポートされたCA動作モードで束ねられるキャリアの数であってもよい。例えば、ユーザ機器が3CC動作モードをサポートするなら、ユーザ機器の構成ファイルに含まれるCAコンビネーションの識別子は3（2ビットの2進数11を使って表すことができる）であり得、ユーザ機器が2CC動作モードをサポートするなら、ユーザ機器の構成ファイルに含まれるCAコンビネーションの識別子は2（2ビットの2進数10を使って表すことができる）であり得る。
【０１０４】
ユーザ機器が3CC動作モードをサポートする一例を使い、この場合、ユーザ機器の構成ファイル内に含まれるCAコンビネーションの識別子は「11」である得、プロセッサ201は、ユーザ機器の構成ファイルに含まれる「11」を「00」に変更するか、ユーザ機器の構成ファイルに含まれる「11」を削除することによって、ユーザ機器上でユーザ機器の動作モードを非CA動作モードに切り換えることができる。
【０１０５】
S405：プロセッサ201はユーザ機器の通信モジュールを再起動する。
【０１０６】
ユーザ機器の通信モジュールはユーザ機器の変調復調器（英語：Modulator-DEModulator、略してMODEM）であってよい。プロセッサ201がユーザ機器のMODEMを再起動することは、具体的には、プロセッサ201がユーザ機器のプロトコルスタックを再起動することであってよい。
【０１０７】
ユーザ機器は、ユーザ機器の伝送モードパラメータをCA動作モードに対応する伝送モードパラメータから非CA動作モードに対応する伝送モードパラメータに変更した後に、ユーザ機器のプロトコルスタックを再起動できる。この場合、ユーザ機器は第2のバージョンのプロトコルスタックで、具体的には、非CA動作モードに対応するプロトコルスタックで、作動できる。
【０１０８】
S406：プロセッサ201は通信インターフェース202を使って基地局へ第1のアクセス要求を送信し、第1のアクセス要求は非CA動作モードに対応する伝送モードパラメータを搬送する。
【０１０９】
第1のアクセス要求は非CA動作モードに対応する伝送モードパラメータを搬送する。したがって、第1のアクセス要求は、基地局側でユーザ機器の伝送モードパラメータを非CA動作モードに対応する伝送モードパラメータに変更することを基地局に要求するために使われてよい。このように、ユーザ機器の動作モードをCA動作モードから非CA動作モードに切り換えることができる。
【０１１０】
第1の適用シナリオにおいて、伝送モードパラメータはユーザ機器のプロトコルスタックバージョンである。ユーザ機器は基地局へ第1のアクセス要求を送信する。第1のアクセス要求は非CA動作モードに対応する伝送モードパラメータを搬送する。換言すると、第1のアクセス要求は第2のバージョンのプロトコルスタック（release 9など）を搬送する。
【０１１１】
第2の適用シナリオにおいて、伝送モードパラメータはユーザ機器によってサポートされユーザ機器の構成ファイル内に含まれるCAコンビネーションの識別子である。ユーザ機器によってサポートされユーザ機器の構成ファイル内に含まれるCAコンビネーションの識別子をユーザ機器が削除した後に、ユーザ機器の構成ファイルはCAコンビネーションの識別子を含んでおらず、これは現在ユーザ機器が非CA動作モードで作動できることを意味する。ユーザ機器は基地局へ第1のアクセス要求を送信する。第1のアクセス要求は非CA動作モードに対応する伝送モードパラメータを搬送する。換言すると、第1のアクセス要求はCAコンビネーションの識別子を含んでいないユーザ機器の構成ファイルを搬送する。
【０１１２】
S407：基地局は通信インターフェース202を使ってユーザ機器のプロセッサ201によって送信される第1のアクセス要求を受信する。
【０１１３】
S408：基地局はユーザ機器の伝送モードパラメータを非CA動作モードに対応する伝送モードパラメータに変更する。
【０１１４】
第1のアクセス要求は非CA動作モードに対応する伝送モードパラメータを搬送する。したがって、基地局は、第1のアクセス要求を受信した後に、基地局側でユーザ機器の伝送モードパラメータを非CA動作モードに対応する伝送モードパラメータに変更できる。このように、ユーザ機器の動作モードをCA動作モードから非CA動作モードに切り換えることができる。
【０１１５】
なお、本発明の本実施形態で基地局によってユーザ機器の伝送モードパラメータを基地局側で変更する方法については、前述の実施形態でユーザ機器によってユーザ機器の伝送モードパラメータをユーザ機器上で変更する関連説明を参照されたい。本発明の本実施形態では詳細をここで繰り返し説明しない。
【０１１６】
本発明の本実施形態で提供される動作モード切り換え方法によると、ユーザ機器はユーザ機器の現在のデータ伝送速度および／またはバッテリ温度を自動的に検出でき、ユーザ機器の現在のデータ伝送速度が第1の速度閾値を下回っている場合に、および／またはバッテリ温度が第1の温度閾値を上回っている場合に、ユーザ機器がCA動作モードになっているなら、ユーザ機器上でユーザ機器の伝送モードパラメータを変更できる。ユーザ機器はユーザ機器のプロトコルスタックを再起動し、ユーザ機器の動作モードをCA動作モードから非CA動作モードに切り換えるため、基地局へ第1のアクセス要求を送信する。
【０１１７】
基地局は、ユーザ機器の動作モードをCA動作モードから非CA動作モードに切り換えた後に、動作モードが切り換えられたことをユーザ機器に通知できる。図4に示されているように、動作モード切り換え方法はS409〜S410をさらに含んでよい。
【０１１８】
S409：基地局はユーザ機器の通信インターフェース202へ第1のアクセス応答を送信し、第1のアクセス応答は基地局がユーザ機器の動作モードをCA動作モードから非CA動作モードに切り換えたことを伝えるために使われる。
【０１１９】
基地局は、ユーザ機器の動作モードをCA動作モードから非CA動作モードに切り換えた後に、ユーザ機器が非CA動作モードで作動を開始できるようにするため、ユーザ機器に第1のアクセス応答を送信でき、基地局がユーザ機器の動作モードをCA動作モードから非CA動作モードに切り換えたことをユーザ機器に伝える。
【０１２０】
S410：プロセッサ201は基地局によって送信された第1のアクセス応答を通信インターフェース202を使って受信する。
【０１２１】
基地局はユーザ機器へ第1のアクセス応答を送信し、その後、ユーザ機器は基地局によって送信された第1のアクセス応答を受信でき、非CA動作モードで作動を開始できる。
【０１２２】
さらに、ユーザ機器がある程度の期間にわたって非CA動作モードで作動した後には、ユーザ機器の電力消費量が減り、プロセッサ201はユーザ機器の動作モードを非CA動作モードからCA動作モードに切り換えることができる。具体的に述べると、本発明の一実施形態による方法はS701〜S710をさらに含んでよい。例えば、プロセッサ201がユーザ機器の動作モードをCA動作モードから非CA動作モードに切り換えた後には、ユーザ機器の電力消費量が減る場合がある。ユーザ機器がある程度の期間にわたって非CA動作モードで作動した後にユーザ機器の電力消費量が比較的少なくなったら、プロセッサ201はユーザ機器の動作モードを非CA動作モードからCA動作モードに切り換えることができる。本発明の本実施形態による方法はS410の後にS701〜S710をさらに含んでよい。
【０１２３】
S701：プロセッサ201はユーザ機器が第2の所定条件を満足していると判断する。
【０１２４】
第2の所定条件は、ユーザ機器の現在のデータ伝送速度が第2の速度閾値を下回ること、および／またはユーザ機器のバッテリ温度が第2の温度閾値を下回ること、を含む。
【０１２５】
例えば、ユーザ機器の現在のデータ伝送速度が第2の速度閾値を下回る場合に、プロセッサ201はユーザ機器が第2の所定条件を満足していると判断でき、あるいはユーザ機器のバッテリ温度が第2の温度閾値を下回る場合に、プロセッサ201はユーザ機器が第2の所定条件を満足していると判断できる。
【０１２６】
さらに、現在のサービスの正常な遂行を保証し、またユーザ機器の現在のデータ伝送速度かバッテリ温度の変化によるユーザ機器の頻繁な動作モード切り換えを避けるため、ユーザ機器の現在のデータ伝送速度が第2の速度閾値を下回り、ユーザ機器のバッテリ温度が第2の温度閾値を下回る場合に、プロセッサ201はユーザ機器が第2の所定条件を満足していると判断できる。第1の速度閾値は第2の速度閾値よりも大きく、第1の温度閾値は第2の温度閾値よりも大きい。
【０１２７】
S702：プロセッサ201はユーザ機器がCA動作モード切り換え能力を有しているかどうかを判断する。
【０１２８】
プロセッサ201はユーザ機器の構成ファイルを使ってユーザ機器がCA動作モード切り換え能力を有しているかどうかを判断できる。
【０１２９】
本発明の本実施形態におけるS702の詳しい説明については、前述の実施形態におけるS402の関連説明を参照されたい。本発明の本実施形態では詳細をここで繰り返し説明しない。
【０１３０】
S703：プロセッサ201はユーザ機器が非CA動作モードになっているかどうかを判断する。
【０１３１】
プロセッサ201は、ユーザ機器が作動しているプロトコルスタックのバージョンを使ってユーザ機器が非CA動作モードになっているかどうかを判断できる。プロセッサ201は、ユーザ機器の構成ファイルを使ってユーザ機器が非CA動作モードになっているかどうかをさらに判断できる。プロセッサ201により、ユーザ機器が非CA動作モードになっているかどうかを判断する方法は、S403で「ユーザ機器がCA動作モードになっているかどうかを判断する」方法と同様である。本発明の本実施形態では詳細をここで繰り返し説明しない。
【０１３２】
具体的に述べると、ユーザ機器が非CA動作モードになっている場合はS704へ進み、ユーザ機器がCA動作モードになっている場合はユーザ機器の動作モード切り換えプロセスが終了する。
【０１３３】
S704：プロセッサ201はユーザ機器の伝送モードパラメータをCA動作モードに対応する伝送モードパラメータに変更する。
【０１３４】
なお、図4に示されたS410の後に、プロセッサ201はユーザ機器がCA動作モード切り換え能力を有していると判断し（前述の実施形態のS402を参照されたい）、現在ユーザ機器は非CA動作モードに切り換わっている（前述の実施形態のS409を参照されたい）。したがって、本発明の本実施形態で提供される動作モード切り換え方法によると、図7Aおよび図7Bに示されているように、プロセッサ201は、S410とS701の後に、S702および／またはS703を遂行しなくてよく、S704を直接遂行してよい。
【０１３５】
任意に選べることとして、本発明の本実施形態で提供される第1の適用シナリオにおいて、伝送モードパラメータはユーザ機器のプロトコルスタックバージョンであってよい。プロセッサ201は、ユーザ機器のプロトコルスタックバージョンを変更することにより、ユーザ機器の伝送モードパラメータをCA動作モードに対応する伝送モードパラメータに変更できる。具体的に述べると、S704はS704aに差し替えることができる。
【０１３６】
S704a：プロセッサ201はユーザ機器のプロトコルスタックバージョンを第2のバージョンから第1のバージョンに変更する。
【０１３７】
任意に選べることとして、本発明の本実施形態で提供される第2の適用シナリオにおいて、伝送モードパラメータはユーザ機器によってサポートされユーザ機器の構成ファイル内に含まれるCAコンビネーションの識別子であってよい。プロセッサ201は、ユーザ機器によってサポートされ構成ファイル内に含まれるCAコンビネーションの識別子を変更することにより、ユーザ機器でユーザ機器の動作モード切り換えを実現できる。具体的に述べると、S704はS704bに差し替えることができる。
【０１３８】
S704b：プロセッサ201はユーザ機器によってサポートされているCAコンビネーションの識別子をユーザ機器の構成ファイルに加える。
【０１３９】
S704aで「プロセッサ201により、ユーザ機器のプロトコルスタックバージョンを第2のバージョンから第1のバージョンに変更する」方法については、S404aの関連説明を参照されたい。S704bで「プロセッサ201により、ユーザ機器によってサポートされているCAコンビネーションの識別子をユーザ機器の構成ファイルに加える」方法については、S404bの関連説明を参照されたい。本発明の本実施形態では詳細をここで繰り返し説明しない。
【０１４０】
S705：プロセッサ201はユーザ機器の通信モジュールを再起動する。
【０１４１】
ユーザ機器の通信モジュールはユーザ機器のMODEMであってよい。プロセッサ201がユーザ機器のMODEMを再起動することは、具体的には、プロセッサ201がユーザ機器のプロトコルスタックを再起動することであってよい。
【０１４２】
ユーザ機器は、ユーザ機器の伝送モードパラメータを非CA動作モードに対応する伝送モードパラメータからCA動作モードに対応する伝送モードパラメータに変更した後に、ユーザ機器のプロトコルスタックを再起動できる。この場合、ユーザ機器は第1のバージョンのプロトコルスタックで、具体的には、CA動作モードに対応するプロトコルスタックで、作動できる。
【０１４３】
S706：プロセッサ201は通信インターフェース202を使って基地局へ第2のアクセス要求を送信し、第2のアクセス要求はCA動作モードに対応する伝送モードパラメータを搬送する。
【０１４４】
第2のアクセス要求はCA動作モードに対応する伝送モードパラメータを搬送する。したがって、第2のアクセス要求は、基地局側でユーザ機器の伝送モードパラメータをCA動作モードに対応する伝送モードパラメータに変更することを基地局に要求するために使われてよい。このように、ユーザ機器の動作モードを非CA動作モードからCA動作モードに切り換えることができる。
【０１４５】
第1の適用シナリオにおいて、伝送モードパラメータはユーザ機器のプロトコルスタックバージョンである。ユーザ機器は基地局へ第2のアクセス要求を送信する。第2のアクセス要求はCA動作モードに対応する伝送モードパラメータを搬送する。換言すると、第2のアクセス要求は第1のバージョンのプロトコルスタック（release 10など）を搬送する。
【０１４６】
第2の適用シナリオにおいて、伝送モードパラメータはユーザ機器によってサポートされユーザ機器の構成ファイル内に含まれるCAコンビネーションの識別子である。ユーザ機器がユーザ機器によってサポートされているCAコンビネーションの識別子をユーザ機器の構成ファイルに加えた後に、ユーザ機器の構成ファイルはCAコンビネーションの識別子を含んでおり、これは現在ユーザ機器がCA動作モードで作動できることを意味する。ユーザ機器は基地局へ第2のアクセス要求を送信する。第2のアクセス要求はCA動作モードに対応する伝送モードパラメータを搬送する。換言すると、第2のアクセス要求はCAコンビネーションの識別子（B1＋B3など）を含んでいるユーザ機器の構成ファイルを搬送する。
【０１４７】
S707：基地局はユーザ機器によって送信された第2のアクセス要求を受信し、第2のアクセス要求はCA動作モードに対応する伝送モードパラメータを搬送する。
【０１４８】
S708：基地局はユーザ機器の伝送モードパラメータをCA動作モードに対応する伝送モードパラメータに変更する。
【０１４９】
第2のアクセス要求はCA動作モードに対応する伝送モードパラメータを搬送する。したがって、基地局は、第2のアクセス要求を受信した後に、基地局側でユーザ機器の伝送モードパラメータをCA動作モードに対応する伝送モードパラメータに変更できる。このように、ユーザ機器の動作モードを非CA動作モードからCA動作モードに切り換えることができる。
【０１５０】
S709：基地局はユーザ機器の通信インターフェース202へ第2のアクセス応答を送信し、第2のアクセス応答は基地局がユーザ機器の動作モードを現在の非CA動作モードからCA動作モードに切り換えたことを伝えるために使われる。
【０１５１】
S710：プロセッサ201は基地局によって送信された第2のアクセス応答を通信インターフェース202を使って受信する。
【０１５２】
本発明の本実施形態で提供される動作モード切り換え方法によると、ユーザ機器はユーザ機器の現在のデータ伝送速度および／またはバッテリ温度を自動的に検出でき、ユーザ機器の現在のデータ伝送速度が第2の速度閾値を下回っている場合に、および／またはユーザ機器のバッテリ温度が第2の温度閾値を下回っている場合に、ユーザ機器が非CA動作モードになっているなら、ユーザ機器上でユーザ機器の伝送モードパラメータを変更でき、ユーザ機器の動作モードを非CA動作モードからCA動作モードに切り換えるため、基地局へ第2のアクセス要求を送信できる。
【０１５３】
さらに、本発明の本実施形態におけるCA動作モードは3CC動作モードと2CC動作モードとを含み得る。「プロセッサ201がユーザ機器の動作モードをCA動作モードから非CA動作モードに変更する」ことは、プロセッサ201がユーザ機器の動作モードを3CC動作モードから非CA動作モードに切り換えることを、あるいはプロセッサ201がユーザ機器の動作モードを2CC動作モードから非CA動作モードに切り換えることを、含み得る。
【０１５４】
この場合、プロセッサ201はCA動作モードと非CA動作モードとでユーザ機器の動作モード切り換えを遂行できるばかりでなく、3CC動作モードと2CC動作モードとでユーザ機器の動作モード切り換えを遂行することもできる。3CC動作モードと比べて、2CC動作モードはより低いデータ伝送速度を提供でき、2CC動作モードで作動するユーザ機器の電力消費量は3CC動作モードで作動するユーザ機器の電力消費量を下回る。したがって、ユーザ機器の電力消費量を減らすため、プロセッサ201は、ユーザ機器が3CC動作モードで現在作動している場合に、ユーザ機器を3CC動作モードから2CC動作モードにさらに切り換えることができる。プロセッサ201がユーザ機器の動作モードを3CC動作モードから2CC動作モードに切り換えた後に、ユーザ機器は2CC動作モードで作動できる。プロセッサ201は特定の条件下でのみユーザ機器の動作モードを2CC動作モードから非CA動作モードに切り換える。
【０１５５】
本発明の本実施形態では、プロセッサ201がユーザ機器の動作モードを3CC動作モードから2CC動作モードに切り換えることを、「プロセッサ201がユーザ機器の動作モードを3CC動作モードから2CC動作モードに切り換え、その後ユーザ機器の動作モードを2CC動作モードから非CA動作モードに切り換える」ケースを使って説明する。具体的に述べると、本発明の一実施形態による方法は、S403の後にS801〜S809をさらに含んでよい。例えば、図8Aおよび図8Bに示されているように、本発明の本実施形態で提供される動作モード切り換え方法は、図4のS403の後にS801〜S809をさらに含んでよい。
【０１５６】
S801：プロセッサ201はユーザ機器が第3の所定条件を満足していると判断する。
【０１５７】
第3の所定条件は、ユーザ機器の現在のデータ伝送速度が第3の速度閾値を下回ること、および／またはユーザ機器のバッテリ温度が第3の温度閾値を上回ること、を含む。第3の速度閾値は第1の速度閾値よりも大きく、第3の温度閾値は第1の温度閾値よりも小さく第2の温度閾値よりも大きい。
【０１５８】
例えば、ユーザ機器の現在のデータ伝送速度が第3の速度閾値を下回る場合に、ユーザ機器はユーザ機器が第3の所定条件を満足していると判断でき、あるいはユーザ機器のバッテリ温度が第3の温度閾値を上回る場合に、プロセッサ201はユーザ機器が第3の所定条件を満足していると判断でき、あるいはユーザ機器の現在のデータ伝送速度が第3の速度閾値を下回り、ユーザ機器のバッテリ温度が第3の温度閾値を上回る場合に、プロセッサ201はユーザ機器が第3の所定条件を満足していると判断できる。
【０１５９】
S802：プロセッサ201はユーザ機器が3CC動作モードになっているか、それとも2CC動作モードになっているかを判断する。
【０１６０】
プロセッサ201により、ユーザ機器が3CC動作モードになっているか、それとも2CC動作モードになっているかを判断する方法は、プロセッサ201により、ユーザ機器がCA動作モードになっているかどうかを判断する方法と同様である。本発明の本実施形態では詳細をここで繰り返し説明しない。
【０１６１】
ユーザ機器の現在のデータ伝送速度が第3の速度閾値を下回る場合は、ユーザ機器によって遂行されている現在のサービスのデータ伝送速度要求が比較的低く、高速データ伝送を行う必要がないことを意味する。換言すると、これは、比較的低いデータ伝送速度を提供できる2CC動作モードでユーザ機器が現在作動しているときに現在のサービスの正常な遂行を保証でき、現在のサービスの正常な遂行を保証するにあたって、比較的高いデータ伝送速度を提供できる3CC動作モードでユーザ機器が作動する必要がないことを意味する。このように、ユーザ機器の現在のデータ伝送速度が第3の速度閾値を下回っているときにユーザ機器が3CC動作モードになっている場合は、プロセッサ201はユーザ機器を現在の3CC動作モードから2CC動作モードに切り換えることができる。
【０１６２】
同様に、ユーザ機器が高速データ伝送を行っているときにはユーザ機器の電力消費量は比較的多く、そのためユーザ機器のバッテリ温度は比較的高くなる可能性がある。ユーザ機器のバッテリ温度が或る値を上回ると電源オフがトリガーされ、セキュリティ上の脅威もあり得る。比較的高いデータ伝送速度を提供できる3CC動作モードでユーザ機器が作動するときは、ユーザ機器の電力消費量は比較的多く、比較的低いデータ伝送速度を提供できる2CC動作モードでユーザ機器が作動するときは、ユーザ機器の電力消費量は比較的少ない。したがって、ユーザ機器の電力消費量を減らしてユーザ機器のバッテリ温度を下げるため、ユーザ機器のバッテリ温度が第3の温度閾値を上回っているときに、プロセッサ201はユーザ機器の伝送モードパラメータを2CC動作モードに対応する伝送モードパラメータに変更し、ユーザ機器の動作モードを3CC動作モードから2CC動作モードに変更することを基地局に要求して、ユーザ機器が2CC動作モードで作動するようにする。
【０１６３】
具体的に述べると、ユーザ機器が現在2CC動作モードになっている場合は、本発明の本実施形態の方法はS404〜S410に戻る。ユーザ機器が現在3CC動作モードになっている場合は、本発明の本実施形態の方法はS803〜S809へ進む。
【０１６４】
S803：プロセッサ201はユーザ機器の伝送モードパラメータを3CC動作モードに対応する伝送モードパラメータから2CC動作モードに対応する伝送モードパラメータに変更する。
【０１６５】
任意に選べることとして、本発明の本実施形態で提供される第1の適用シナリオにおいて、伝送モードパラメータはユーザ機器のプロトコルスタックバージョンである。プロセッサ201はユーザ機器のプロトコルスタックバージョンを3CC動作モードに対応するプロトコルスタックバージョンから2CC動作モードに対応するプロトコルスタックバージョンに変更する、すなわちユーザ機器の伝送モードパラメータを3CC動作モードに対応する伝送モードパラメータから2CC動作モードに対応する伝送モードパラメータに変更する。
【０１６６】
任意に選べることとして、本発明の本実施形態で提供される第2の適用シナリオにおいて、プロセッサ201はユーザ機器によってサポートされユーザ機器の構成ファイル内に含まれるCAコンビネーションの識別子を3CCコンビネーション識別子から2CCコンビネーション識別子に変更する、すなわちユーザ機器の伝送モードパラメータを3CC動作モードに対応する伝送モードパラメータから2CC動作モードに対応する伝送モードパラメータに変更する。
【０１６７】
S804：プロセッサ201はユーザ機器の通信モジュールを再起動する。
【０１６８】
ユーザ機器の通信モジュールはユーザ機器のMODEMであってよい。プロセッサ201がユーザ機器のMODEMを再起動することは、具体的には、プロセッサ201がユーザ機器のプロトコルスタックを再起動することであってよい。
【０１６９】
ユーザ機器がユーザ機器の伝送モードパラメータを3CC動作モードに対応する伝送モードパラメータから2CC動作モードに対応する伝送モードパラメータに変更した後に、ユーザ機器のプロトコルスタックは3CC動作モードに対応するプロトコルスタックバージョンから2CC動作モードに対応するプロトコルスタックバージョンに変更されている。その後、ユーザ機器はユーザ機器のプロトコルスタックを再起動でき、これはユーザ機器が2CC動作モードに対応するプロトコルスタックで作動できることを意味する。
【０１７０】
S805：プロセッサ201は通信インターフェース202を使って基地局へ第3のアクセス要求を送信し、第3のアクセス要求は2CC動作モードに対応する伝送モードパラメータを搬送する。
【０１７１】
第1の適用シナリオにおいて、プロセッサ201はユーザ機器の通信モジュールを再起動でき、第3のバージョンのプロトコルスタックと通信インターフェース202とを使って基地局へ第3のアクセス要求を送信できる。第3のアクセス要求は2CC動作モードに対応する伝送モードパラメータを搬送する。
【０１７２】
S806：基地局はユーザ機器によって送信された第3のアクセス要求を受信する。
【０１７３】
S807：基地局はユーザ機器の伝送モードパラメータを2CC動作モードに対応する伝送モードパラメータに変更する。
【０１７４】
第3のアクセス要求は2CC動作モードに対応する伝送モードパラメータを搬送する。したがって、基地局は、第3のアクセス要求を受信した後に、基地局側でユーザ機器の伝送モードパラメータを2CC動作モードに対応する伝送モードパラメータに変更できる。このように、ユーザ機器の動作モードを3CC動作モードから2CC動作モードに切り換えることができる。
【０１７５】
S808：基地局はユーザ機器の通信インターフェース202へ第3のアクセス応答を送信し、第3のアクセス応答は基地局がユーザ機器の動作モードを3CC動作モードから2CC動作モードに切り換えたことを伝えるために使われる。
【０１７６】
S809：プロセッサ201は基地局によって送信された第3のアクセス応答を通信インターフェース202を使って受信する。
【０１７７】
なお、CA動作モードが3CC動作モードと2CC動作モードとを含む場合に、プロセッサ201がユーザ機器の動作モードを3CC動作モードから2CC動作モードに切り換えた後は、ユーザ機器の電力消費量を減らすことができる。ユーザ機器がある程度の期間にわたって2CC動作モードで作動した後にユーザ機器の電力消費量が比較的少なくなる場合は、ユーザ機器はユーザ機器の動作モードを2CC動作モードから3CC動作モードに切り換えることができる。「プロセッサ201により、ユーザ機器の動作モードを非CA動作モードから3CC動作モードに切り換える」方法は、プロセッサ201がユーザ機器の動作モードを非CA動作モードから2CC動作モードに切り換え、その後、ユーザ機器の動作モードを2CC動作モードから3CC動作モードに切り換えることを具体的に含んでよい。
【０１７８】
具体的に述べると、本発明の一実施形態による方法は、S710の後にS901〜S909をさらに含んでよい。例えば、図9に示されているように、本発明の本実施形態で提供される動作モード切り換え方法は、図7Aおよび図7BのS710の後にS901〜S909をさらに含んでよい。
【０１７９】
S901：プロセッサ201はユーザ機器が第4の所定条件を満足していると判断する。
【０１８０】
第4の所定条件は、ユーザ機器の現在のデータ伝送速度が第4の速度閾値を下回ること、および／またはユーザ機器のバッテリ温度が第4の温度閾値を下回ること、を含む。第4の速度閾値は第1の速度閾値よりも大きく、第4の速度閾値は第3の速度閾値よりも小さい。第4の温度閾値は第2の温度閾値よりも小さく、第4の温度閾値は第3の温度閾値よりも小さい。
【０１８１】
例えば、ユーザ機器の現在のデータ伝送速度が第4の速度閾値を下回る場合に、プロセッサ201はユーザ機器が第4の所定条件を満足していると判断でき、あるいはユーザ機器のバッテリ温度が第4の温度閾値を下回る場合に、プロセッサ201はユーザ機器が第4の所定条件を満足していると判断できる。
【０１８２】
さらに、現在のサービスの正常な遂行を保証し、また現在のデータ伝送速度の変化によるユーザ機器の頻繁な動作モード切り換えを避けるため、ユーザ機器の現在のデータ伝送速度が第4の速度閾値を下回り、ユーザ機器のバッテリ温度が第4の温度閾値を下回る場合に、プロセッサ201はユーザ機器が第4の所定条件を満足していると判断できる。
【０１８３】
S902：プロセッサ201はユーザ機器が2CC動作モードになっているか、それとも3CC動作モードになっているかを判断する。
【０１８４】
プロセッサ201により、ユーザ機器が3CC動作モードになっているか、それとも2CC動作モードになっているかを判断する方法は、プロセッサ201により、ユーザ機器がCA動作モードになっているかどうかを判断する方法と同様である。本発明の本実施形態では詳細をここで繰り返し説明しない。
【０１８５】
具体的に述べると、ユーザ機器が現在3CC動作モードになっている場合は、ユーザ機器の動作モード切り換えプロセスは終了する。ユーザ機器が現在2CC動作モードになっている場合は、本発明の本実施形態の方法はS903〜S908に進む。
【０１８６】
S903：プロセッサ201はユーザ機器の伝送モードパラメータを2CC動作モードに対応する伝送モードパラメータから3CC動作モードに対応する伝送モードパラメータに変更する。
【０１８７】
「プロセッサ201により、ユーザ機器の伝送モードパラメータを3CC動作モードに対応する伝送モードパラメータから2CC動作モードに対応する伝送モードパラメータに変更する」方法は、ユーザ機器のプロトコルスタックバージョンかユーザ機器の構成ファイルを使って、プロセッサ201がユーザ機器の伝送モードパラメータを3CC動作モードに対応する伝送モードパラメータから2CC動作モードに対応する伝送モードパラメータに変更できることを、具体的に含む。
【０１８８】
S904：プロセッサ201はユーザ機器の通信モジュールを再起動する。
【０１８９】
ユーザ機器の通信モジュールはユーザ機器のMODEMであってよい。プロセッサ201がユーザ機器のMODEMを再起動することは、具体的には、プロセッサ201がユーザ機器のプロトコルスタックを再起動することであってよい。
【０１９０】
S905：プロセッサ201は通信インターフェース202を使って基地局へ第4のアクセス要求を送信し、第4のアクセス要求は3CC動作モードに対応する伝送モードパラメータを搬送する。
【０１９１】
S906：基地局はユーザ機器によって送信された第4のアクセス要求を受信する。
【０１９２】
S907：基地局はユーザ機器の伝送モードパラメータを3CC動作モードに対応する伝送モードパラメータに変更する。
【０１９３】
S908：基地局はユーザ機器へ第4のアクセス応答を送信し、第4のアクセス応答は基地局がユーザ機器の動作モードを2CC動作モードから3CC動作モードに切り換えたことを伝えるために使われる。
【０１９４】
S909：ユーザ機器は基地局によって送信された第4のアクセス応答を通信インターフェース202を使って受信する。
【０１９５】
本発明の本実施形態におけるS901〜S909の詳しい説明については、前述の実施形態におけるS401〜S410の関連説明を参照されたい。本発明の本実施形態では詳細をここで繰り返し説明しない。
【０１９６】
任意に選べることとして、本発明の本実施形態で「ユーザ機器が第1の所定条件を満足する」ことは、具体的には、ユーザ機器の現在のサービス要求が第1の速度閾値を下回ることであってよい。プロセッサ201は、ユーザ機器が第1の所定条件を満足していると判断する前に、ユーザ機器のバッテリ温度をリアルタイムか定期的に監視でき、ユーザ機器のバッテリ温度が第5の温度閾値を上回る場合は、ユーザ機器のデータ伝送速度を制御でき、これによりユーザ機器のデータ伝送速度は第1の速度閾値を下回る。ユーザ機器の高いデータ伝送速度はユーザ機器の多い電力消費量を意味し、結果的に、ユーザ機器のバッテリ温度が上がる。したがって、ユーザ機器のバッテリ温度が第5の温度閾値を上回る場合は、プロセッサ201はユーザ機器のデータ伝送速度を制御でき、これによりユーザ機器のデータ伝送速度は低減され、第1の速度閾値を下回る。このように、ユーザ機器のバッテリ温度を下げる効果を達成できる。第5の温度閾値は第1の温度閾値に等しくてよく、あるいは第1の温度閾値よりも大きい。
【０１９７】
本発明の本実施形態で提供される動作モード切り換え方法によると、プロセッサ201はCA動作モードと非CA動作モードとでユーザ機器の動作モード切り換えを遂行でき、あるいは3CC動作モードと2CC動作モードとでユーザ機器の動作モード切り換えを遂行できる。この解決策を用いることで、ユーザ機器は3CC動作モードと2CC動作モードと非CA動作モードとでユーザ機器の動作モード切り換えを遂行できる、すなわちユーザ機器の動作モードの段階的な切り換えを実現できる。
【０１９８】
上記では、本発明の実施形態で提供される解決策を、主にネットワークエレメント間の相互作用の観点から説明している。前述の機能を実装するため、ユーザ機器や基地局などのネットワークエレメントが機能を遂行する対応するハードウェア構造および／またはソフトウェアモジュールを含むことを理解されたい。当業者なら、本明細書で開示されている実施形態で説明されている例をもとに、ユニット、アルゴリズムステップがハードウェアによって、またはハードウェアとコンピュータソフトウェアの組み合わせによって、実装され得ることに容易く気付くであろう。機能がハードウェアによって遂行されるか、それともコンピュータソフトウェアによって駆動されるハードウェアによって遂行されるかは、技術的解決策の具体的な用途と設計上の制約しだいで決まる。当業者なら具体的な用途ごとに説明されている機能を様々な方法で実装できるが、そのような実装は本発明の範囲を超えるものとみなすべきではない。
【０１９９】
本発明の実施形態において、ユーザ機器と基地局のモジュールは前述の方法の例に基づいて分割され得る。例えば、それぞれのモジュールがそれぞれの機能に基づいて分割され得、あるいは2つ以上の機能が1つの処理モジュールに統合され得る。統合されたモジュールはハードウェアの形で実装され得、あるいはソフトウェア機能モジュールの形で実装され得る。本発明の実施形態におけるモジュールの分割が一例であり、論理的な機能分割にすぎないことに注意されたい。実際の実装では別の分割方式もあり得る。
【０２００】
図10は前述の実施形態によるユーザ機器の可能な一構造を示す。図10に示されているように、ユーザ機器1000は、条件判断モジュール1001と、変更モジュール1002と、起動モジュール1003と、送信モジュール1004と、受信モジュール1005とを含む。
【０２０１】
条件判断モジュール1001は、前述した実施形態のS401、S701、S801、およびS901を、および／または本明細書で説明されている技術に使われる別のプロセスを、遂行するにあたってユーザ機器を支援するように構成される。変更モジュール1002は、前述した実施形態のS404、S404a、S404b、S704、S704a、S704b、S803、およびS903を、および／または本明細書で説明されている技術に使われる別のプロセスを、遂行するにあたってユーザ機器を支援するように構成される。起動モジュールは、前述した実施形態のS405、S705、S804、およびS904を、および／または本明細書で説明されている技術に使われる別のプロセスを、遂行するにあたってユーザ機器を支援するように構成される。送信モジュール1004は、前述した実施形態のS406、S706、S805、およびS905を、および／または本明細書で説明されている技術に使われる別のプロセスを、遂行するにあたってユーザ機器を支援するように構成される。受信モジュール1005は、前述した実施形態のS410、S710、S809、およびS909を、および／または本明細書で説明されている技術に使われる別のプロセスを、遂行するにあたってユーザ機器を支援するように構成される。
【０２０２】
さらに、図11に示されているように、ユーザ機器1000は能力判断モジュール1006をさらに含んでよい。能力判断モジュール1006は、前述した実施形態のS402およびS702を、および／または本明細書で説明されている技術に使われる別のプロセスを、遂行するにあたってユーザ機器を支援するように構成される。
【０２０３】
さらに、図11に示されているように、ユーザ機器1000はモード判断モジュール1007をさらに含んでよい。モード判断モジュール1007は、前述した実施形態のS403、S703、S802、およびS902を、および／または本明細書で説明されている技術に使われる別のプロセスを、遂行するにあたってユーザ機器を支援するように構成される。
【０２０４】
勿論、ユーザ機器1000は格納モジュールをさらに含んでよい。格納モジュールはユーザ機器の構成ファイルを格納するように構成されてよい。
【０２０５】
統合されたモジュールが使われる場合は、送信モジュール1004と受信モジュール1005が1つの通信モジュールに統合されることによって実装されてよく、通信モジュールは通信インターフェース、トランシーバ回路、トランシーバなどであってよい。条件判断モジュール1001とモード判断モジュール1007と変更モジュール1002と起動モジュール1003と能力判断モジュール1006は、1つの処理モジュール（プロセッサなど）に統合されることによって実装されてよい。格納モジュールはメモリであってよい。
【０２０６】
本発明の一実施形態はコンピュータ記憶媒体をさらに提供する。コンピュータ記憶媒体はコンピュータプログラムコードを格納する。コンピュータプログラムコードは命令を含む。基地局とやり取りしてユーザ機器の動作モード切り換えを実現するため、ユーザ機器200のプロセッサ201が命令を実行すると、ユーザ機器200は前述した実施形態の関連方法ステップを遂行する。
【０２０７】
本発明の本実施形態で提供されるユーザ機器内のモジュール、またはモジュールの詳しい説明、ならびに機能ユニットまたはモジュールによって前述した実施形態の関連方法ステップを遂行した場合の技術的効果については、本発明の方法の実施形態の関連説明を参照されたい。ここでは詳細を繰り返し説明しない。
【０２０８】
図12は前述の実施形態による基地局の可能な一構造を示す。図12に示されているように、基地局1200は、受信モジュール1201と、切り換えモジュール1202と、送信モジュール1203とを含む。
【０２０９】
受信モジュール1201は、前述した実施形態のS407、S707、S806、およびS906を、および／または本明細書で説明されている技術に使われる別のプロセスを、遂行するにあたって基地局を支援するように構成される。切り換えモジュール1202は、前述した実施形態のS408、S708、S807、およびS907を、および／または本明細書で説明されている技術に使われる別のプロセスを、遂行するにあたって基地局を支援するように構成される。送信モジュール1203は、前述した実施形態のS409、S709、S808、およびS908を、および／または本明細書で説明されている技術に使われる別のプロセスを、遂行するにあたって基地局を支援するように構成される。
【０２１０】
統合されたモジュールが使われる場合は、受信モジュール1201と送信モジュール1203が1つの通信モジュールに統合されることによって実装されてよく、通信モジュールは通信インターフェース、トランシーバ回路、トランシーバなどであってよい。切り換えモジュール1202は1つの処理モジュール（プロセッサなど）に統合されることによって実装されてよい。格納モジュールはメモリであってよい。
【０２１１】
処理モジュールがプロセッサであり、通信モジュールが通信インターフェースであり、格納モジュールがメモリである場合、本発明の実施形態で提供される基地局は図13に示された基地局1300であってよい。
【０２１２】
図13を参照すると、基地局1300は、プロセッサ1301と、通信インターフェース1302と、メモリ1303と、バス1304とを含む。プロセッサ1301と通信インターフェース1302とメモリ1303はバス1304を用いて互いに接続されている。バス1304はアドレスバス、データバス、コントロールバスなどに分類され得る。表現を簡単にするため、図13ではバスを表すためにただ1つの太線が使われているが、これはバスが1つしかないことを、あるいはバスが1種類しかないことを、意味しない。
【０２１３】
本発明の一実施形態はコンピュータ記憶媒体をさらに提供する。コンピュータ記憶媒体はコンピュータプログラムコードを格納する。コンピュータプログラムコードは命令を含む。ユーザ機器とやり取りしてユーザ機器の動作モード切り換えを遂行するため、基地局1300のプロセッサ1301が命令を実行すると、基地局1300は前述した実施形態の関連方法ステップを遂行する。
【０２１４】
なお、本発明の本実施形態で提供される基地局内の機能ユニットおよびモジュールの詳しい説明、ならびに機能ユニットまたはモジュールによって前述した実施形態の関連方法ステップを遂行した場合の技術的効果については、本発明の方法の実施形態の関連説明を参照されたい。ここでは詳細を繰り返し説明しない。
【０２１５】
本発明で開示されている内容と併せて説明されている方法またはアルゴリズムステップはハードウェアによって実行されてよく、あるいはソフトウェア命令を実行することによってプロセッサによって実行されてよい。ソフトウェア命令は対応するソフトウェアモジュールを含んでよい。ソフトウェアモジュールは、ランダムアクセスメモリ（Random Access Memory、RAM）、フラッシュメモリ、読み取り専用メモリ（Read Only Memory、ROM）、消去可能プログラム可能読み取り専用メモリ（Erasable Programmable ROM、EPROM）、電気的消去可能プログラム可能読み取り専用メモリ（Electrically EPROM、EEPROM）、レジスタ、ハードディスク、モバイルハードディスク、コンパクトディスク読み取り専用メモリ（CD-ROM）、または当技術で周知の他の何らかの形の記憶媒体に格納されてよい。例えば、記憶媒体はプロセッサに結合され、このためプロセッサは記憶媒体から情報を読み取ることができ、あるいは記憶媒体に情報を書き込むことができる。勿論、記憶媒体はプロセッサの一コンポーネントであってよい。勿論、プロセッサと記憶媒体は個別のコンポーネントとしてコアネットワークインターフェースデバイス内に存在してもよい。
【０２１６】
当業者は、前述した1つ以上の例において、本発明で説明されている機能がハードウェア、ソフトウェア、ファームウェア、またはこれらの組み合わせで実装され得ることを認識するべきである。本発明がソフトウェアによって実装される場合は、前述した機能がコンピュータ可読媒体に格納されてよく、あるいはコンピュータ可読媒体にて1つ以上の命令またはコードとして伝送されてもよい。コンピュータ可読媒体はコンピュータ記憶媒体と通信媒体とを含み、通信媒体は或る1つの場所から別の場所へのコンピュータプログラムの伝送を可能にする何らかの媒体を含む。記憶媒体は汎用または専用コンピュータでアクセスできる何らかの入手可能な媒体であってよい。
【０２１７】
本発明の目的と技術的解決策と利点は前述の具体的な実施形態でさらに詳述されている。前述の説明が本発明の特定の実施形態に過ぎず、本発明の保護範囲を制限することを意図するものではないことを理解されたい。本発明の精神と原理の中でなされる変更や等価の差し替えや改良は本発明の保護範囲内に入るものとする。
【符号の説明】
【０２１８】
11  ユーザ機器
12  基地局
200  ユーザ機器
201  プロセッサ
202  通信インターフェース
203  メモリ
204  バス
300  携帯電話機
310  メモリ
320  無線周波（RF）回路
330  入力ユニット
331  タッチパネル
332  別の入力デバイス
340  表示ユニット
341  ディスプレイパネル
350  センサ
360  オーディオ回路
361  スピーカ
362  マイクロフォン
370  ワイヤレスフィデリティ（Wi-Fi）モジュール
380  プロセッサ
390  電源
1000  ユーザ機器
1001  条件判断モジュール
1002  変更モジュール
1003  起動モジュール
1004  送信モジュール
1005  受信モジュール
1006  能力判断モジュール
1007  モード判断モジュール
1200  基地局
1201  受信モジュール
1202  切り換えモジュール
1203  送信モジュール
1300  基地局
1301  プロセッサ
1302  通信インターフェース
1303  メモリ
1304  バス
【図１】
2019537387.tif 000003
【図２】
2019537387.tif 000004
【図３】
2019537387.tif 000005
【図４】
2019537387.tif 000006
【図５】
2019537387.tif 000007
【図６】
2019537387.tif 000008
【図７Ａ】
2019537387.tif 000009
【図７Ｂ】
2019537387.tif 000010
【図８Ａ】
2019537387.tif 000011
【図８Ｂ】
2019537387.tif 000012
【図９】
2019537387.tif 000013
【図１０】
2019537387.tif 000014
【図１１】
2019537387.tif 000015
【図１２】
2019537387.tif 000016
【図１３】
2019537387.tif 000017
【手続補正書】
【提出日】令和1年7月12日(2019.7.12)
【手続補正１】
【補正対象書類名】明細書
【補正対象項目名】０２１７
【補正方法】変更
【補正の内容】
【０２１７】
本発明の目的と技術的解決策と利点は前述の具体的な実施形態でさらに詳述されている。前述の説明が本発明の特定の実施形態に過ぎず、本発明の保護範囲を制限することを意図するものではないことを理解されたい。本発明の原理の中でなされる変更や等価の差し替えや改良は本発明の保護範囲内に入るものとする。
【手続補正２】
【補正対象書類名】特許請求の範囲
【補正対象項目名】全文
【補正方法】変更
【補正の内容】
【特許請求の範囲】
【請求項１】
動作モード切り換え方法であって、
ユーザ機器により、前記ユーザ機器が第1の所定条件を満足していると判断するステップであって、前記第1の所定条件は、前記ユーザ機器の現在のデータ伝送速度が第1の速度閾値を下回ること、および前記ユーザ機器のバッテリ温度が第1の温度閾値を上回ることのうちの1つ以上を含む、ステップと、
前記ユーザ機器がキャリアアグリゲーション(CA)動作モードになっている場合に、前記ユーザ機器により、前記ユーザ機器の伝送モードパラメータを非CA動作モードに対応する伝送モードパラメータに変更するステップであって、前記ユーザ機器の前記伝送モードパラメータは、前記ユーザ機器のデータ伝送速度を表すために使われ、前記CA動作モードと前記非CA動作モードは、異なる伝送モードパラメータに対応しており、前記CA動作モードに対応する伝送モードパラメータによって表されるデータ伝送速度は、前記非CA動作モードに対応する前記伝送モードパラメータによって表されるデータ伝送速度よりも大きい、ステップと、
前記ユーザ機器により、前記ユーザ機器の通信モジュールを再起動し、基地局へ第1のアクセス要求を送信するステップであって、前記第1のアクセス要求は、前記非CA動作モードに対応する前記伝送モードパラメータを搬送する、ステップと
を含む方法。
【請求項２】
前記伝送モードパラメータは、前記ユーザ機器のプロトコルスタックバージョンであり、
前記ユーザ機器により、前記ユーザ機器の伝送モードパラメータを非CA動作モードに対応する伝送モードパラメータに変更する前記ステップは、
前記ユーザ機器により、前記ユーザ機器の前記プロトコルスタックバージョンを第1のバージョンから第2のバージョンに変更するステップであって、前記第1のバージョンのプロトコルスタックは、前記CA動作モードに対応しており、前記第2のバージョンのプロトコルスタックは、前記非CA動作モードに対応している、ステップ
を含む、請求項1に記載の方法。
【請求項３】
前記伝送モードパラメータは、前記ユーザ機器の構成ファイル内に含まれる、前記ユーザ機器によってサポートされているCAコンビネーションの識別子であり、
前記ユーザ機器により、前記ユーザ機器の伝送モードパラメータを非CA動作モードに対応する伝送モードパラメータに変更する前記ステップは、
前記ユーザ機器により、前記ユーザ機器の前記構成ファイル内に含まれる、前記ユーザ機器によってサポートされている前記CAコンビネーションの前記識別子を削除するステップ
を含む、請求項1に記載の方法。
【請求項４】
前記ユーザ機器により、基地局へ第1のアクセス要求を送信する前記ステップの後に、前記方法は、
前記ユーザ機器により、前記ユーザ機器が第2の所定条件を満足していると判断するステップであって、前記第2の所定条件は、前記ユーザ機器の前記現在のデータ伝送速度が第2の速度閾値を下回ること、および前記ユーザ機器の前記バッテリ温度が第2の温度閾値を下回ることのうちの1つ以上を含み、前記第1の速度閾値は、前記第2の速度閾値よりも大きく、前記第1の温度閾値は、前記第2の温度閾値よりも大きい、ステップと、
前記ユーザ機器により、前記ユーザ機器の前記伝送モードパラメータを前記CA動作モードに対応する前記伝送モードパラメータに変更するステップと、
前記ユーザ機器により、前記ユーザ機器の前記通信モジュールを再起動し、前記基地局へ第2のアクセス要求を送信するステップであって、前記第2のアクセス要求は、前記CA動作モードに対応する前記伝送モードパラメータを搬送する、ステップと
をさらに含む、請求項1から3のいずれか一項に記載の方法。
【請求項５】
前記伝送モードパラメータは、前記ユーザ機器のプロトコルスタックバージョンであり、
前記ユーザ機器により、前記ユーザ機器の前記伝送モードパラメータを前記CA動作モードに対応する前記伝送モードパラメータに変更する前記ステップは、
前記ユーザ機器により、前記ユーザ機器の前記プロトコルスタックバージョンを第2のバージョンから第1のバージョンに変更するステップであって、前記第1のバージョンのプロトコルスタックは、前記CA動作モードに対応しており、前記第2のバージョンのプロトコルスタックは、前記非CA動作モードに対応している、ステップ
を含む、請求項4に記載の方法。
【請求項６】
前記伝送モードパラメータは、前記ユーザ機器の構成ファイル内に含まれる、前記ユーザ機器によってサポートされているCAコンビネーションの識別子であり、
前記ユーザ機器により、前記ユーザ機器の前記伝送モードパラメータを前記CA動作モードに対応する前記伝送モードパラメータに変更する前記ステップは、
前記ユーザ機器により、前記ユーザ機器によってサポートされている前記CAコンビネーションの前記識別子を前記ユーザ機器の前記構成ファイルに加えるステップ
を含む、請求項4に記載の方法。
【請求項７】
ユーザ機器であって、
前記ユーザ機器が第1の所定条件を満足していると判断するように構成された条件判断モジュールであって、前記第1の所定条件は、前記ユーザ機器の現在のデータ伝送速度が第1の速度閾値を下回ること、および前記ユーザ機器のバッテリ温度が第1の温度閾値を上回ることのうちの1つ以上を含む、条件判断モジュールと、
前記ユーザ機器がキャリアアグリゲーション(CA)動作モードになっている場合に、前記ユーザ機器の伝送モードパラメータを非CA動作モードに対応する伝送モードパラメータに変更するように構成された変更モジュールであって、前記ユーザ機器の前記伝送モードパラメータは、前記ユーザ機器のデータ伝送速度を表すために使われ、前記CA動作モードと前記非CA動作モードは、異なる伝送モードパラメータに対応しており、前記CA動作モードに対応する伝送モードパラメータによって表されるデータ伝送速度は、前記非CA動作モードに対応する前記伝送モードパラメータによって表されるデータ伝送速度よりも大きい、変更モジュールと、
前記ユーザ機器の通信モジュールを再起動するように構成された起動モジュールと、
前記起動モジュールが前記ユーザ機器の前記通信モジュールを再起動した後に、基地局へ第1のアクセス要求を送信するように構成された送信モジュールであって、前記第1のアクセス要求は、前記非CA動作モードに対応する前記伝送モードパラメータを搬送する、送信モジュールと
を含むユーザ機器。
【請求項８】
前記伝送モードパラメータは、前記ユーザ機器のプロトコルスタックバージョンであり、
前記変更モジュールは、前記ユーザ機器の前記プロトコルスタックバージョンを第1のバージョンから第2のバージョンに変更するように特に構成され、前記第1のバージョンのプロトコルスタックは、前記CA動作モードに対応しており、前記第2のバージョンのプロトコルスタックは、前記非CA動作モードに対応している、請求項7に記載のユーザ機器。
【請求項９】
前記伝送モードパラメータは、前記ユーザ機器の構成ファイル内に含まれる、前記ユーザ機器によってサポートされているCAコンビネーションの識別子であり、
前記ユーザ機器は、
前記構成ファイルを格納するように構成された格納モジュールであって、前記構成ファイルは、前記ユーザ機器によってサポートされている前記CAコンビネーションの前記識別子を含む、格納モジュール
をさらに含み、
前記変更モジュールは、前記格納モジュールに格納された前記構成ファイル内に含まれる、前記ユーザ機器によってサポートされている前記CAコンビネーションの前記識別子を削除するように特に構成される、請求項7に記載のユーザ機器。
【請求項１０】
前記条件判断モジュールは、前記送信モジュールが前記基地局へ前記第1のアクセス要求を送信した後に、前記ユーザ機器が第2の所定条件を満足していると判断するようにさらに構成され、前記第2の所定条件は、前記ユーザ機器の前記現在のデータ伝送速度が第2の速度閾値を下回ること、および前記ユーザ機器の前記バッテリ温度が第2の温度閾値を下回ることのうちの1つ以上を含み、前記第1の速度閾値は、前記第2の速度閾値よりも大きく、前記第1の温度閾値は、前記第2の温度閾値よりも大きく、
前記変更モジュールは、前記ユーザ機器の前記伝送モードパラメータを前記CA動作モードに対応する前記伝送モードパラメータに変更するようにさらに構成され、
前記送信モジュールは、前記基地局へ第2のアクセス要求を送信するようにさらに構成され、前記第2のアクセス要求は、前記CA動作モードに対応する前記伝送モードパラメータを搬送する、請求項7から9のいずれか一項に記載のユーザ機器。
【請求項１１】
方法を実行する1つ以上のプログラムを格納したコンピュータ可読記憶媒体であって、
前記方法は、
ユーザ機器により、前記ユーザ機器が第1の所定条件を満足していると判断するステップであって、前記第1の所定条件は、前記ユーザ機器の現在のデータ伝送速度が第1の速度閾値を下回ること、および前記ユーザ機器のバッテリ温度が第1の温度閾値を上回ることのうちの1つ以上を含む、ステップと、
前記ユーザ機器がキャリアアグリゲーション(CA)動作モードになっている場合に、前記ユーザ機器により、前記ユーザ機器の伝送モードパラメータを非CA動作モードに対応する伝送モードパラメータに変更するステップであって、前記ユーザ機器の前記伝送モードパラメータは、前記ユーザ機器のデータ伝送速度を表すために使われ、前記CA動作モードと前記非CA動作モードは、異なる伝送モードパラメータに対応しており、前記CA動作モードに対応する伝送モードパラメータによって表されるデータ伝送速度は、前記非CA動作モードに対応する前記伝送モードパラメータによって表されるデータ伝送速度よりも大きい、ステップと、
前記ユーザ機器により、前記ユーザ機器の通信モジュールを再起動し、基地局へ第1のアクセス要求を送信するステップであって、前記第1のアクセス要求は、前記非CA動作モードに対応する前記伝送モードパラメータを搬送する、ステップと
を含む、コンピュータ可読記憶媒体。
【請求項１２】
前記伝送モードパラメータは、前記ユーザ機器のプロトコルスタックバージョンであり、
前記ユーザ機器により、前記ユーザ機器の伝送モードパラメータを非CA動作モードに対応する伝送モードパラメータに変更する前記ステップは、
前記ユーザ機器により、前記ユーザ機器の前記プロトコルスタックバージョンを第1のバージョンから第2のバージョンに変更するステップであって、前記第1のバージョンのプロトコルスタックは、前記CA動作モードに対応しており、前記第2のバージョンのプロトコルスタックは、前記非CA動作モードに対応している、ステップ
を含む、請求項11に記載のコンピュータ可読記憶媒体。
【請求項１３】
前記伝送モードパラメータは、前記ユーザ機器の構成ファイル内に含まれる、前記ユーザ機器によってサポートされているCAコンビネーションの識別子であり、
前記ユーザ機器により、前記ユーザ機器の伝送モードパラメータを非CA動作モードに対応する伝送モードパラメータに変更する前記ステップは、
前記ユーザ機器により、前記ユーザ機器の前記構成ファイル内に含まれる、前記ユーザ機器によってサポートされている前記CAコンビネーションの前記識別子を削除するステップ
を含む、請求項11に記載のコンピュータ可読記憶媒体。
【請求項１４】
前記ユーザ機器により、基地局へ第1のアクセス要求を送信する前記ステップの後に、前記方法は、
前記ユーザ機器により、前記ユーザ機器が第2の所定条件を満足していると判断するステップであって、前記第2の所定条件は、前記ユーザ機器の前記現在のデータ伝送速度が第2の速度閾値を下回ること、および前記ユーザ機器の前記バッテリ温度が第2の温度閾値を下回ることのうちの1つ以上を含み、前記第1の速度閾値は、前記第2の速度閾値よりも大きく、前記第1の温度閾値は、前記第2の温度閾値よりも大きい、ステップと、
前記ユーザ機器により、前記ユーザ機器の前記伝送モードパラメータを前記CA動作モードに対応する前記伝送モードパラメータに変更するステップと、
前記ユーザ機器により、前記ユーザ機器の前記通信モジュールを再起動し、前記基地局へ第2のアクセス要求を送信するステップであって、前記第2のアクセス要求は、前記CA動作モードに対応する前記伝送モードパラメータを搬送する、ステップと
をさらに含む、請求項11から13のいずれか一項に記載のコンピュータ可読記憶媒体。
【請求項１５】
前記伝送モードパラメータは、前記ユーザ機器のプロトコルスタックバージョンであり、
前記ユーザ機器により、前記ユーザ機器の前記伝送モードパラメータを前記CA動作モードに対応する前記伝送モードパラメータに変更する前記ステップは、
前記ユーザ機器により、前記ユーザ機器の前記プロトコルスタックバージョンを第2のバージョンから第1のバージョンに変更するステップであって、前記第1のバージョンのプロトコルスタックは、前記CA動作モードに対応しており、前記第2のバージョンのプロトコルスタックは、前記非CA動作モードに対応している、ステップ
を含む、請求項14に記載のコンピュータ可読記憶媒体。
【国際調査報告】
2019537387.tif 000018
2019537387.tif 000019
2019537387.tif 000020
2019537387.tif 000021